(57)【要約】  電子式商品監視（ＥＡＳ）システムであって、前記システムは、互いに独立しておよび自立して動作するとともに台座システム内に物理的に配された複数の独立した監視システムの組み合わせを含み、該監視システムの組み合わせは、  磁気ＥＡＳタグ（アルミホイルを敷いたバックと他のファラデーシールドに影響されない）と磁気分離器を検知する第１のＥＡＳシステム、ファラデーシールドを検知する第２のＥＡＳシステム、音響−磁気ＥＡＳタグを検知する第３のＥＡＳシステム、および、抗ＥＡＳ妨害アラーム機構を少なくとも含む。本発明のＥＡＳシステムはさらに、保安領域に出入りする個人の数をカウントするカウンターを含み、アラームが本物かどうかを認証する。【選択図】図１Ａ−１
2012530325.tif 000002
【特許請求の範囲】
【請求項１】
電子式商品監視（ＥＡＳ）システムであって、
前記システムは、
台座システム内に物理的に配された複数の独立した監視システムの組み合わせを含み、
前記監視システムの組み合わせは、
磁気ＥＡＳタグと磁気分離器を含む磁性材料を検知する磁気ＥＡＳシステムとして構成された第１のＥＡＳシステム、
ファラデーシールドを検知する抗ファラデーシールドＥＡＳシステムとして構成された第２のＥＡＳシステム、
音響−磁気ＥＡＳタグを検知する音響−磁気ＥＡＳシステムとして構成された第３のＥＡＳシステム、および、
妨害対抗検出システムを含むことを特徴とするＥＡＳシステム。
【請求項２】
台座システムは、複数の台座からなり、
それぞれ第１、第２、第３のＥＡＳシステムの少なくとも１つの送受信機アンテナの少なくとも１つを収容する複数の台座の第１の台座、および、
それぞれ第１、第２、第３のＥＡＳシステムの少なくとも別の送受信機アンテナの少なくとも１つを収容する複数の台座の第２の台座を含むことを特徴とする請求項１に記載のＥＡＳシステム。
【請求項３】
台座システムは、少なくとも１つのトランシーバ台座からなることを特徴とする請求項１に記載のＥＡＳシステム。
【請求項４】
磁気ＥＡＳシステムは複数の電磁システムを含むことを特徴とする請求項１に記載のＥＡＳシステム。
【請求項５】
複数の電磁システムが複数の磁気センサーを含むことを特徴とする請求項４に記載のＥＡＳシステム。
【請求項６】
複数の磁気センサーは、高透磁率の強磁性材料を有するコアと、コアに巻かれた伝導体からなることを特徴とする請求項５に記載のＥＡＳシステム。
【請求項７】
複数の磁気センサーの第１の磁気センサーは、第１の電磁システムを形成するために、複数の磁気センサーの第２の磁気センサーにつながれ、
複数の磁気センサーの第３の磁気センサーは、第２の電磁システムを形成するために、複数の磁気センサーの第４の磁気センサーにつながれ、
第１と第２の電磁システムは独立して機能することを特徴とする請求項６に記載のＥＡＳシステム。
【請求項８】
第１の磁気センサーは第１の信号を生成し、第２の磁気センサーは、第１の信号とは等しいが、ＥＡＳ磁気タグおよび分離器のうちの１つが第１と第２の磁気センサーの両方からほぼ等しく離間して検知される際の誤ったアラームの抑止および防止については第１の信号とは正反対の第２の信号を生成し、
第３の磁気センサーは第３の信号を生成し、第４の磁気センサーは、第３の信号とは等しいが、ＥＡＳ磁気タグおよび分離器のうちの１つが第３と第４の磁気センサーの両方からほぼ等しく離間して検知される際の誤ったアラームの抑止および防止については第３の信号とは正反対の第４の信号を生成し、
第１の電磁システムは第１の監視ゾーンを生成し、第２の電磁システムは、第１の監視ゾーンとは異なる第２の監視ゾーンを生成し、第１の監視ゾーンと第２の監視ゾーンの領域は、ＥＡＳシステムの完全な監視ゾーンを十分にカバーするように重なることを特徴とする請求項７に記載のＥＡＳシステム。
【請求項９】
ワイヤーはコアの長手方向の軸の長さ全体に沿ってコアに巻かれることを特徴とする請求項８に記載のＥＡＳシステム。
【請求項１０】
抗ファラデーシールドＥＡＳシステムは、
第１のインダクタコイルを有する第１の抗ファラデーシールドＥＡＳシステム、
第２のインダクタコイルを有する第２の抗ファラデーシールドＥＡＳシステムからなり、
第１の抗ファラデーシールドＥＡＳシステムは、第２の抗ファラデーシールドＥＡＳシステムにつなげられることを特徴とする請求項１に記載のＥＡＳシステム。
【請求項１１】
第１のインダクタコイルは、第１の幅、第１の軸長さ、および、第１の軸中心を備えた第１の空芯を有し、第１のインダクタコイルは、第１の空芯の第１の長手軸全体に沿って第１の空芯に巻かれ、
第２のインダクタコイルは、第２の幅、第２の軸長さ、および、第２の軸中心を備えた第２の空芯を有し、第２のインダクタコイルは、第２の空芯の第２の長手軸全体に沿って第２の空芯に巻かれ、
第１の空芯は第２の空芯上に配され、第１の軸中心は第２の軸中心に並行に並べられることを特徴とする請求項１０に記載のＥＡＳシステム。
【請求項１２】
音響−磁気ＥＡＳシステムの第１の巻線の第１の直線部分は第１の軸中心を通り、音響−磁気ＥＡＳシステムの第２の巻線の第２の直線部分は第２の軸中心を通ることを特徴とする請求項１１に記載のＥＡＳシステム。
【請求項１３】
音響−磁気ＥＡＳシステムは、第１の上部コイルと第２の下部コイルを含み、第１の上部コイルの底部は第２の下部コイルの上方部分に重なり、第１の上部コイルと第２の下部コイルの角部は、ほぼ長方形の曲がった角部を有することを特徴とする請求項１に記載のＥＡＳシステム。
【請求項１４】
磁気ＥＡＳシステムは、
入力アンテナ信号を増幅し、増幅した信号を出力するための、第１の増幅利得を備えた第１の増幅器、
増幅した信号のノイズのフィルタ処理と、フィルタ処理された信号の生成のための低域フィルタ、
オカレンスとノイズを区別するためにフィルタ処理した信号の変化速度を測定するための、および、変化速度が速い場合に差動信号を生成するための差動増幅器、
差動信号を増幅し、第２の増幅した信号を出力するための、第２の増幅利得を備えた第２の増幅器、
第２の増幅した信号を処理するための、および、感度閾値に基づいてアラームが生成されるかどうかを決定するマイクロプロセッサーを含むことを特徴とする請求項１に記載のＥＡＳシステム。
【請求項１５】
差動増幅器は、第１の時間τ１を生成する第１のタイマーと、τ１＞＞τ２であるτ２を生成する第２のタイマーとからなる作動入力段階をふくみ、
第１のタイマーはＲＣ回路の第１のセットからなり、第２のタイマーは、ＲＣタイマーの第２のセットからなることを特徴とする請求項１４に記載のＥＡＳシステム。
【請求項１６】
マイクロコンピュータはＡ／Ｄ変換器を用いて、第２の増幅した信号を、アナログからデジタル化入力信号に変換し、
デジタル化入力信号はサンプリングされ、読み取られ、サンプリングされた平均として記憶され、および、設定時間Ｔ内にサンプリングされた平均の平均値が増加している傾向にあるかどうかを決定し、もし、増加している傾向があり、サンプリングされた平均が感度閾値よりも大きい場合、マイクロコンピュータがアラームを生成することを特徴とする請求項１４に記載のＥＡＳシステム。
【請求項１７】
抗ファラデーシールドＥＡＳシステムは、以下のものからなる抗ファラデーシールドＥＡＳ信号処理回路を含み、
抗ファラデーシールドＥＡＳ信号処理回路は、
周波数選択器によって設定された所定の周波数で搬送波信号を生成するための信号生成器、
生成された搬送波信号を増幅し、信号の送信のためにアンテナに増幅した信号を出力するための、第１の増幅利得を備えた第１の増幅器、
送信アンテナから送信された信号を受信するための受信機アンテナ、
受信信号を増幅し、第２の増幅した信号を出力するための、第２の増幅利得を備えた第２の増幅器、
第２の増幅した信号のノイズのフィルタ処理、および、フィルタ処理された信号の生成のための低域フィルタ、
復調された信号を生成するために、フィルタ処理された信号を復調するための振幅復調器、
オカレンスとノイズを区別するために復調された信号の変化速度を測定するための、および、変化速度が速い場合に差動信号を生成するための差動増幅器、
差動信号を増幅し、第３の増幅した信号を出力するための、第３の増幅利得を備えた第３の増幅器、
第３の増幅した信号を処理するための、および、感度閾値に基づいて、アラームが生成されるかどうかを決定するマイクロプロセッサーからなることを特徴とする請求項１に記載のＥＡＳシステム。
【請求項１８】
マイクロコンピュータはＡ／Ｄ変換器を用いて、第３の増幅した信号をアナログからデジタル化入力信号に変換し、
デジタル化入力信号は読み取られ、サンプリングされ、サンプリングされた平均として記憶され、
マイクロプロセッサーは、アラームが生成されるかどうかを決定するために、受け取った記憶されたサンプル平均を予め決められたシグネチャ信号と比較することを特徴とする請求項１７に記載のＥＡＳシステム。
【請求項１９】
音響−磁気ＥＡＳシステムは、
第１のコイルと第２のコイルを含むアンテナ、
ＥＡＳタグのための監視ゾーンを定義する、第１の動作モードでのそれぞれの第１の信号と第２の信号の生成と送信のために、第１と第２のコイルにつながれたトランシーバモジュールを含み、
第１と第２の信号は、正常動作中に維持されるそれぞれの第１と第２の信号位相特性を有し、それぞれの信号位相にはほとんど変化なく、
第２の動作モードのトランシーバモジュールは、第１と第２のコイルからの監視ゾーンから信号を受信し、
音響−磁気ＥＡＳシステムはさらに、
トランシーバモジュールからの受信信号を処理し、予め決められた条件に基づいてアラームを生成するためのマイクロプロセッサーを含むことを特徴とする請求項１に記載のＥＡＳシステム。
【請求項２０】
第１のコイルと第２のコイルは部分的に重なり、共通の面内に位置付けられることを特徴とする請求項１９に記載のＥＡＳシステム。
【請求項２１】
生成された第１と第２の信号は、ほぼ同相のみのそれぞれ第１と第２の磁場であることを特徴とする請求項２０に記載のＥＡＳシステム。
【請求項２２】
生成された第１と第２の信号は、ほぼ異相のみのそれぞれ第１と第２の磁場であることを特徴とする請求項２０に記載のＥＡＳシステム。
【請求項２３】
生成された第１と第２の信号は、正常動作中に維持されるとともにほぼ同相の特性とほぼ異相の特性のみの１つを有する、動作中にはほとんど何の信号位相変化も起こさない位相特性を備えたそれぞれ第１と第２の磁場であることを特徴とする請求項２０に記載のＥＡＳシステム。
【請求項２４】
トランシーバモジュールは、アンテナの第１と第２のコイルにつながれたトランシーバ回路からなることを特徴とする請求項２０に記載のＥＡＳシステム。
【請求項２５】
電子式商品監視（ＥＡＳ）システムであって、
前記システムは、
台座システム内に物理的に配された複数の独立した監視システムを含み、
前記複数の独立した監視システムは、
第１のＥＡＳシステムと、
第１のＥＡＳシステムから独立し、かつ、自律した第２のＥＡＳシステムとを含むことを特徴とするシステム。
【請求項２６】
第１のＥＡＳシステムは第１の周波数で動作し、
第２のＥＡＳシステムは、第１の周波数とは異なる第２の周波数で機能することを特徴とする請求項２５に記載のＥＡＳシステム。
【請求項２７】
第１のＥＡＳシステムは、
磁石、磁性物体、磁気ＥＡＳタグ、および、磁気分離器を含む磁性材料の検出のための磁気ＥＡＳシステムと、
ファラデーシールドの検出のために、磁気ＥＡＳシステムから独立し、かつ、自律して機能する抗ファラデーシールドＥＡＳシステムとからなることを特徴とする請求項２５に記載のＥＡＳシステム。
【請求項２８】
第２のＥＡＳシステムは音響−磁気ＥＡＳシステムからなり、
前記音響−磁気ＥＡＳシステムは、
複数のアンテナ、
ＥＡＳタグの監視ゾーンを定義する信号の生成と送信のために、および、監視ゾーンから信号を受信するために、多くのアンテナにつながれた制御装置を含み、
受信信号は、正常動作中に維持されるとともに、それぞれの信号位相にはほとんど変化を起こさない信号位相特性を有し、
制御装置は監視ゾーンからの受信信号を処理し、予め決められた条件に基づいてアラームを生成し、監視ゾーンを定義する信号の生成と送信に影響を与えないことを特徴とする請求項２５に記載のＥＡＳシステム。
【請求項２９】
複数のアンテナのアンテナは第１のコイルと第２のコイルからなることを特徴とする請求項２８に記載のＥＡＳシステム。
【請求項３０】
第１のコイルと第２のコイルは部分的に重なり、共通の面内に位置付けられることを特徴とする請求項２９に記載のＥＡＳシステム。
【請求項３１】
送信された信号はほぼ同相のみの磁場であることを特徴とする請求項２９に記載のＥＡＳシステム。
【請求項３２】
送信された信号はほぼ異相のみの磁場であることを特徴とする請求項２９に記載のＥＡＳシステム。
【請求項３３】
送信された信号は位相特性を備えた磁場であり、該位相特性は正常動作中に維持されるとともに、ほぼ同相の特性とほぼ異相の特性のみの１つを有し、動作中にはほとんど何の信号位相変化も起こさないことを特徴とする請求項２９に記載のＥＡＳシステム。
【請求項３４】
制御装置は、複数のアンテナにつながれたトランシーバ回路からなるトランシーバモジュールを含むことを特徴とする請求項２９に記載のＥＡＳシステム。
【請求項３５】
複数のアンテナは複数のトランシーバアンテナであり、複数のトランシーバアンテナのトランシーバアンテナは第１のコイルと第２のコイルからなることを特徴とする請求項３４に記載のＥＡＳシステム。
【請求項３６】
複数のアンテナは、複数の送信器アンテナと複数の受信機アンテナからなり、複数の送信器アンテナと受信機アンテナのアンテナは、第１のコイルと第２のコイルからなることを特徴とする請求項３４に記載のＥＡＳシステム。
【請求項３７】
受信信号は、複数の受信機アンテナからマルチプレクサーによって取得され、受信機アンテナからの受信信号は制御装置のマイクロプロセッサーによって個々に処理されることを特徴とする請求項３６に記載のＥＡＳシステム。
【請求項３８】
音響−磁気ＥＡＳシステムは、
アンテナ、
ＥＡＳタグのための監視ゾーンを定義する信号の生成および送信のために、および、監視ゾーンから信号を受信するために、アンテナにつながれた制御装置を含み、
送信された信号は、正常動作中に維持されるともにそれぞれの信号位相にはほとんど何の変化も起こらない信号位相特性を有し、および、
制御装置は監視ゾーンからの受信信号を処理し、予め決められた条件に基づいてアラームを生成し、監視ゾーンを定義する信号の生成と送信に影響を与えないことを特徴とする請求項２６に記載のＥＡＳシステム。
【請求項３９】
アンテナは単一コイルからなることを特徴とする請求項３８に記載のＥＡＳシステム。
【請求項４０】
送信信号は、ほぼ一定の位相を備えた磁場であることを特徴とする請求項３８に記載のＥＡＳシステム。
【請求項４１】
制御装置は、アンテナにつながれたトランシーバ回路からなるトランシーバモジュールを含むことを特徴とする請求項３８に記載のＥＡＳシステム。
【請求項４２】
アンテナは、複数のトランシーバアンテナであり、複数のトランシーバアンテナのトランシーバアンテナは、コイルからなることを特徴とする請求項４１に記載のＥＡＳシステム。
【請求項４３】
複数のアンテナは、複数の送信機アンテナと複数の受信機アンテナからなり、複数の送信機アンテナおよび複数の受信機アンテナは、コイルからなることを特徴とする請求項４２に記載のＥＡＳシステム。
【請求項４４】
受信信号は、マルチプレクサによって複数の受信機アンテナから取得され、受信機アンテナからの受信信号は、制御装置のマイクロプロセッサーによって個々に処理されることを特徴とする請求項４２に記載のＥＡＳシステム。
【請求項４５】
第１のＥＡＳシステムは、磁性物体を含む磁性材料および磁気ＥＡＳタグの検出のための磁気ＥＡＳシステムからなり、および、
第２のＥＡＳシステムは、ファラデーシールドの検出のための磁気ＥＡＳシステムから独立し、かつ自律して機能する、抗ファラデーシールドＥＡＳシステムからなることを特徴とする請求項２５に記載のＥＡＳシステム。
【請求項４６】
磁気ＥＡＳシステムは、複数の電磁システムを含むことを特徴とする請求項４５に記載のＥＡＳシステム。
【請求項４７】
複数の電磁システムは、複数の磁気センサーを含むことを特徴とする請求項４６に記載のＥＡＳシステム。
【請求項４８】
複数の磁気センサーは、高透磁率の強磁性体を有するコアと、コアに巻かれた伝導体からなることを特徴とする請求項４７に記載のＥＡＳシステム。
【請求項４９】
複数の磁気センサーの第１の磁気センサーは、第１の電磁システムを形成するめに、複数の磁気センサーの第２の磁気センサーにつながれ、
複数の磁気センサーの第３の磁気センサーは、第２の電磁システムを形成するために、複数の磁気センサーの第４の磁気センサーにつながれ、
第１と第２の電磁システムは独立して機能することを特徴とする請求項４８に記載のＥＡＳシステム。
【請求項５０】
第１の磁気センサーは、第１の信号を生成し、第２の磁気センサーは、第１の信号と等しいが、ＥＡＳ磁気タグおよび分離器のうちの１つが第１と第２の磁気センサーの両方からほぼ等しく離間して検知される際の誤ったアラームの抑止および防止については、第１の信号とは正反対の、第２の信号を生成し、
第３の磁気センサーは、第３の信号を生成し、第４の磁気センサーは、第３の信号と等しいが、ＥＡＳ磁気タグおよび分離器のうちの１つが第３と第４の磁気センサーの両方からほぼ等しく離間して検知される際の誤ったアラームの抑止および防止については、第３の信号とは正反対の、第４の信号を生成し、
第１の電磁システムは、第１の監視ゾーンを生成し、第２の電磁システムは、第１の監視ゾーンとは異なる第２の監視ゾーンを生成し、第１の監視ゾーンと第２の監視ゾーンの領域は、ＥＡＳシステムの完全な監視ゾーンを十分にカバーするように重なることを特徴とする請求項４９に記載のＥＡＳシステム。
【請求項５１】
ワイヤーはコアの長手方向の軸の長さ全体に沿ってコアに巻かれることを特徴とする請求項５０に記載のＥＡＳシステム。
【請求項５２】
抗ファラデーシールドＥＡＳシステムは、
第１のインダクタコイルを有する第１の抗ファラデーシールドＥＡＳシステム、
第２のインダクタコイルを有する第２の抗ファラデーシールドＥＡＳシステムからなり、
第１の抗ファラデーシールドＥＡＳシステムは、第２の抗ファラデーシールドＥＡＳシステムにつなげられることを特徴とする請求項４５に記載のＥＡＳシステム。
【請求項５３】
第１のインダクタコイルは、第１の幅、第１の軸長さ、および、第１の軸中心を備えた第１の空芯を有し、第１のインダクタコイルは、第１の空芯の第１の長手軸全体に沿って第１の空芯に巻かれ、
第２のインダクタコイルは、第２の幅、第２の軸長さ、および、第２の軸中心を備えた第２の空芯を有し、第２のインダクタコイルは、第２の空芯の第２の長手軸全体に沿って第２の空芯に巻かれ、
第１の空芯は第２の空芯上に配され、第１の軸中心は第２の軸中心に平行に並べられることを特徴とする請求項５２に記載のＥＡＳシステム。
【請求項５４】
抗ファラデーシールドＥＡＳシステムは、単一のインダクタコイルからなることを特徴とする請求項４５に記載のＥＡＳシステム。
【請求項５５】
インダクタコイルは、幅、軸長さおよび軸中心を備えた空心を有し、インダクタコイルは、第１の空芯の長手方向の軸長さ全体に沿って空心に巻かれることを特徴とする請求項５４に記載のＥＡＳシステム。
【請求項５６】
第１のＥＡＳシステムは、磁性物体を含む磁性材料と磁気ＥＡＳタグの検出のための磁気ＥＡＳシステム、および、ファラデーシールドを検出する抗ファラデーシールドＥＡＳシステムの１つのみからなり、
第２のＥＡＳシステムは、音響−磁気ＥＡＳタグを検知する１以上の音響−磁気ＥＡＳシステムからなることを特徴とする請求項２５に記載のＥＡＳシステム。
【請求項５７】
音響−磁気ＥＡＳシステムは、
単一コイルからなるアンテナ、
アンテナＥＡＳタグのための監視ゾーンを定義する信号の生成および送信のための、および、監視ゾーンからの信号を受信するための、アンテナにつながれた制御装置を含み、
送信信号は、正常動作の間維持され、その信号位相に殆ど変化がない、信号位相特性を有し、および、
該制御装置は、監視ゾーンからの受信信号を処理し、予め決められた条件に基づいてアラームを生成し、監視ゾーンを定義する信号の生成および送信に影響を及ぼさないことを特徴とする請求項５６に記載のＥＡＳシステム。
【請求項５８】
音響−磁気ＥＡＳシステムは、
第１のコイルおよび第２のコイルを含むアンテナと、
ＥＡＳタグのための監視ゾーンを定義する第１の動作モードでのそれぞれの第１の信号と第２の信号の生成および送信のために、第１のコイルおよび第２のコイルにつなげられたトランシーバモジュールとを含み、
第１の信号および第２の信号は、正常動作の間に維持されるそれぞれの第１の信号位相特性と第２の信号位相特性を有し、それぞれの信号位相にほとんど変化が起こらず、
第２の動作モードのトランシーバモジュールは、第１のコイルと第２のコイルからの監視ゾーンから信号を受信し、
音響−磁気ＥＡＳシステムはさらに、
トランシーバモジュールからの受信信号を処理し、予め決められた条件に基づいてアラームを生成するためのマイクロプロセッサを含むことを特徴とする請求項５６に記載のＥＡＳシステム。
【請求項５９】
第２のＥＡＳシステムは、
音響−磁気ＥＡＳシステムからなり、
該音響−磁気ＥＡＳシステムは、
１以上の送信機アンテナループ並びに第１の受信機アンテナループおよび第２の受信機アンテナループからなる複数のアンテナを含み、
第１の受信機アンテナループおよび第２の受信機アンテナループは、部分的に重なり合い、共通の面内に配置され、
該音響−磁気ＥＡＳシステムはさらに、
ＥＡＳタグのための監視ゾーンを定義する信号を生成し、送信するための１以上の送信機アンテナループにつながれた制御装置を含み、
送信信号は、正常動作の間維持される信号位相特性を有し、それぞれの信号位相にほとんど変化を与えず、および、
制御装置は、監視ゾーンからの第１と第２の受信機信号を処理し、予め決められた条件に基づいてアラームを生成し、かつ、監視ゾーンを定義する信号の生成と送信に影響を与えず、
該制御装置は、
それぞれ、第１と第２の受信機アンテナループからの第１と第２の受信信号を、第１と第２のデジタル信号に変換する、第１と第２のアナログデジタル（Ａ／Ｄ）変換器を有するプロセッサーと、
２つの異なる予め定められた時間で２回、それぞれ、第１と第２のデジタル信号を同時にサンプリングする第１と第２のサンプラーと、
第１および第２の受信機アンテナループからの第１と第２の両方のサンプリングされたデジタル信号を操作し、その結果得られた操作を、予め決められた基準と比較する演算機構とを含むことを特徴とする請求項２５に記載のＥＡＳシステム。
【請求項６０】
保安区域に、および、保安区域から移動する存在を数えるためのカウント機構をさらに含むことを特徴とする請求項２５に記載のＥＡＳシステム。
【請求項６１】
カウント機構は、１以上の赤外線ゲートからなることを特徴とする請求項６０に記載のＥＡＳシステム。
【請求項６２】
カウント機構は、デジタルビデオレコーダーからなることを特徴とする請求項６０に記載のＥＡＳシステム。
【請求項６３】
カウント機構は、本物のアラームの確認および誤ったアラームの判定に使用されることを特徴とする請求項６０に記載のＥＡＳシステム。
【発明の詳細な説明】
【技術分野】
【０００１】
（関連出願の相互参照）
【０００２】
この出願は、２００９年６月１５日に出願された、現在係属中の米国仮特許出願番号第６１／１８６，９８５号の優先権の利益を主張するもので、その全開示は本明細書で引用することによって明示的に組み入れられる。
【背景技術】
【０００３】
（発明の分野）
この発明は、商品監視システムに関し、具体的には、複合の商品監視および検出システムを組み合わせた電子式商品監視（ＥＡＳ）システムに関する。
【０００４】
（関連技術の記載）
一般的に、異なる物理原理と技術原理に基づいて動作する複数のタイプのＥＡＳシステムが存在し、これらの各々は様々な利点や欠点を提供する。既知の個々のＥＡＳシステムの非限定的な排他的ではないリストの例は、電磁気ＥＡＳシステム、無線周波数（ＲＦ）ＥＡＳシステム、および、音響−磁気ＥＡＳシステムを含む。遺憾なことであるが、最も事情に通じた万引き犯は、各々のシステムの欠点を熟知しており、全体的な監視能力の裏をかいて突破すべく、各々のシステムの弱点を悪用している。例えば、ほとんどのシステムは、アルミホイルを敷いたバックのなかに、ＥＡＳタグが取り付けられた商品を入れることで回避可能であり、（またブースターバッグとしても知られている）バッグは、ＥＡＳシステムのアンテナシステムからＥＡＳタグを分離するためにファラデーシールド（Ｆａｒａｄａｙ  ｓｈｉｅｌｄ）またはケージとしての機能を果たし、ＥＡＳタグを役に立たなくする。ＥＡＳシステムを回避する他の周知の方法は、ＥＡＳシステム送信器から送信信号を妨害する工程を含む。
【０００５】
従って、技術の現在の状況と、例として先に列挙した現在の個々のＥＡＳシステムの短所を考慮すると、多数の個々の電子式商品監視システムを含むとともに組み合わせて、別々に実行された場合の各々の個々のシステムの弱点を克服する堅牢な監視システムをもたらし、全体的な監視能力を相乗的に改善するＥＡＳシステムへのニーズが存在する。
【発明の概要】
【課題を解決するための手段】
【０００６】
本発明の随意の例示的な態様は、電子式商品監視（ＥＡＳ）システムを提供し、前記システムは、台座システム（ｐｅｄｅｓｔａｌ ｓｙｓｔｅｍ）内に物理的に配された複数の独立した監視システムの組み合わせを含み、該監視システムの組み合わせは、磁気ＥＡＳタグと磁気分離器（ｍａｇｎｅｔｉｃ  ｄｅｔａｃｈｅｒｓ）を含む磁性材料を検知する磁気ＥＡＳシステムとして構成された第１のＥＡＳシステム、ファラデーシールドを検知する抗ファラデーシールドＥＡＳシステムとして構成された第２のＥＡＳシステム、音響−磁気ＥＡＳタグを検知する音響−磁気ＥＡＳとして構成された第３のＥＡＳシステム、および、妨害対抗検出システムを含む。
【０００７】
本発明の別の随意の代表的な態様は、電子式商品監視（ＥＡＳ）システムを提供し、台座システムは、複数の台座からなり、それぞれ第１、第２、第３のＥＡＳシステムの少なくとも１つの送受信機アンテナの少なくとも１つを収容する複数の台座の第１の台座、および、それぞれ第１、第２、第３のＥＡＳシステムの少なくとも別の送受信機アンテナの少なくとも１つを収容する複数の台座の第２の台座を含む。
【０００８】
本発明のさらに別の随意の代表的な態様は、電子式商品監視（ＥＡＳ）システムを提供し、台座システムは、少なくとも１つのトランシーバ台座からなる。
【０００９】
本発明のさらに別の代表的な態様は、電子式商品監視（ＥＡＳ）システムを提供し、磁気ＥＡＳシステムは複数の電磁システムを含む。
【００１０】
本発明のさらに随意の代表的な態様は、電子式商品監視（ＥＡＳ）システムを提供し、複数の電磁システムが複数の磁気センサーを含む。
【００１１】
また、本発明のさらに随意の代表的な態様は、電子式商品監視（ＥＡＳ）システムを提供し、複数の磁気センサーは、高透磁率の強磁性材料を有するコアと、コアに巻かれた伝導体からなる。
【００１２】
また、本発明のさらに随意の代表的な態様は、電子式商品監視（ＥＡＳ）システムを提供し、複数の磁気センサーの第１の磁気センサーは、第１の電磁システムを形成するために、複数の磁気センサーの第２の磁気センサーにつながれ、複数の磁気センサーの第３の磁気センサーは、第２の電磁システムを形成するために、複数の磁気センサーの第４の磁気センサーにつながれ、第１と第２の電磁システムは独立して機能する。
【００１３】
本発明の別の随意の代表的な態様は、電子式商品監視（ＥＡＳ）システムを提供し、第１の磁気センサーは第１の信号を生成し、第２の磁気センサーは、第１の信号とは等しいが、ＥＡＳ磁気タグおよび分離器のうちの１つが第１と第２の磁気センサーの両方からほぼ等しく離間して検知される際の誤ったアラームの抑止および防止については第１の信号とは正反対（ｏｐｐｏｓｉｔｅ）の第２の信号を生成し、第３の磁気センサーは第３の信号を生成し、第４の磁気センサーは、第３の信号とは等しいが、ＥＡＳ磁気タグおよび分離器のうちの１つが第３と第４の磁気センサーの両方からほぼ等しく離間して検知される際の誤ったアラームの抑止および防止については第３の信号とは正反対の第４の信号を生成し、第１の電磁システムは第１の監視ゾーンを生成し、第２の電磁システムは、第１の監視ゾーンとは異なる第２の監視ゾーンを生成し、第１の監視ゾーンと第２の監視ゾーンの領域は、ＥＡＳシステムの完全な監視ゾーンを十分にカバーするように重なる。
【００１４】
ここで、本発明のさらに別の随意の代表的な態様は、電子式商品監視（ＥＡＳ）システムを提供し、ワイヤーはコアの長手方向の軸の長さ全体に沿ってコアに巻かれる。
【００１５】
本発明のさらに別の随意の代表的な態様は、電子式商品監視（ＥＡＳ）システムを提供し、抗ファラデーシールドＥＡＳシステムは、第１のインダクタコイルを有する第１の抗ファラデーシールドＥＡＳシステム、第２のインダクタコイルを有する第２の抗ファラデーシールドＥＡＳシステムからなり、第１の抗ファラデーシールドＥＡＳシステムは、第２の抗ファラデーシールドＥＡＳシステムにつなげられる。
【００１６】
本発明のさらに随意の代表的な態様は、電子式商品監視（ＥＡＳ）システムを提供し、第１のインダクタコイルは、第１の幅、第１の軸長さ、および、第１の軸中心を備えた第１の空芯を有し、第１のインダクタコイルは、第１の空芯の第１の長手軸全体に沿って第１の空芯に巻かれ、第２のインダクタコイルは、第２の幅、第２の軸長さ、および、第２の軸中心を備えた第２の空芯を有し、第２のインダクタコイルは、第２の空芯の第２の長手軸全体に沿って第２の空芯に巻かれ、第１の空芯は第２の空芯上に配され、第１の軸中心は第２の軸中心に並行に並べられる。
【００１７】
本発明のさらに随意の代表的な態様は、電子式商品監視（ＥＡＳ）システムを提供し、音響−磁気ＥＡＳシステムの第１の巻線の第１の直線部分は、第１の軸中心を通り、音響−磁気ＥＡＳシステムの第２の巻線の第２の直線部分は第２の軸中心を通る。
【００１８】
本発明のさらに随意の代表的な態様は電子式商品監視（ＥＡＳ）システムを提供し、音響−磁気ＥＡＳシステムは、第１の上部コイルと第２の下部コイルを含み、第１の上部コイルの底部は第２の下部コイルの上方部分に重なり、第１の上部コイルと第２の下部コイルの角部は、ほぼ長方形の曲がった角部を有する。
【００１９】
本発明の別の随意の代表的な態様は、電子式商品監視（ＥＡＳ）システムを提供し、磁気ＥＡＳシステムは、入力アンテナ信号を増幅し、増幅した信号を出力するための、第１の増幅利得を備えた第１の増幅器、増幅した信号のノイズのフィルタ処理と、フィルタ処理された信号の生成のための低域フィルタ、オカレンス（ｏｃｃｕｒｒｅｎｃｅ）とノイズを区別するためにフィルタ処理した信号の変化速度を測定するための、および、変化速度が速い場合に差動信号を生成するための差動増幅器、差動信号を増幅し、第２の増幅した信号を出力するための、第２の増幅利得を備えた第２の増幅器、第２の増幅した信号を処理するための、および、感度閾値に基づいてアラームが生成されるかどうかを決定するマイクロプロセッサを含む。
【００２０】
本発明のさらに別の随意の代表的な態様は、電子式商品監視（ＥＡＳ）システムを提供し、差動増幅器は、第１の時間τ１を生成する第１のタイマーと、τ１＞＞τ２であるτ２を生成する第２のタイマーとからなる作動入力段階をふくみ、第１のタイマーはＲＣ回路の第１のセットからなり、第２のタイマーは、ＲＣタイマーの第２のセットからなる。
【００２１】
本発明のさらに別の随意の代表的な態様は、電子式商品監視（ＥＡＳ）システムを提供し、マイクロコンピュータはＡ／Ｄ変換器を用いて、第２の増幅した信号を、アナログからデジタル化入力信号に変換し、デジタル化入力信号はサンプリングされ、読まれ、サンプリングされた平均として記憶され、および、設定時間Ｔ内にサンプリングされた平均の平均値で増加している傾向があるかどうかを測定し、もし、増加している傾向があり、サンプリングされた平均が感度閾値よりも大きい場合、マイクロコンピュータがアラームを生成する。
【００２２】
本発明のさらに随意の代表的な態様は、電子式商品監視（ＥＡＳ）システムを提供し、抗ファラデーシールドＥＡＳシステムは、以下のものからなる抗ファラデーシールドＥＡＳ信号処理回路を含み、抗ファラデーシールドＥＡＳ信号処理回路は、周波数選択器によって設定された所定の周波数で搬送波信号を生成するための信号生成器、生成された搬送波信号を増幅し、信号の送信用のアンテナに増幅した信号を出力するための、第１の増幅利得を備えた第１の増幅器、送信アンテナから送信された信号を受信するための受信機アンテナ、受信信号を増幅し、第２の増幅した信号を出力するための、第２の増幅利得を備えた第２の増幅器、第２の増幅した信号のノイズのフィルタ処理、および、フィルタ処理された信号の生成のための低域フィルタ、復調された信号を生成するために、フィルタ処理された信号を復調するための振幅復調器、オカレンスとノイズを区別するために復調された信号の変化速度を測定するための、および、変化速度が速い場合に差動信号を生成するための差動増幅器、差動信号を増幅し、第３の増幅した信号を出力するための、第３の増幅利得を備えた第３の増幅器、第３の増幅した信号を処理するための、および、感度閾値に基づいて、アラームが生成されるかどうかを決定するマイクロプロセッサからなる。
【００２３】
本発明のさらに随意の代表的な態様は、電子式商品監視（ＥＡＳ）システムを提供し、マイクロコンピュータはＡ／Ｄ変換器を用いて、第３の増幅した信号をアナログからデジタル化入力信号に変換し、デジタル化入力信号は読まれ、サンプリングされ、サンプリングされた平均として記憶され、マイクロプロセッサは、アラームが生成されるかどうかを決定するために、受け取った記憶されたサンプル平均を予め決められたシグネチャ信号と比較する。
【００２４】
本発明の別の随意の代表的な態様は、電子式商品監視（ＥＡＳ）システムを提供し、音響−磁気ＥＡＳシステムは、第１のコイルと第２のコイルを含むアンテナ、ＥＡＳタグの監視ゾーンを定義する、第１の動作モードでのそれぞれの第１の信号と第２の信号の生成と送信のために、第１と第２のコイルにつながれたトランシーバモジュールを含み、第１と第２の信号は、正常動作中に維持されるそれぞれの第１と第２の信号位相特性を有し、それぞれの信号位相にはほとんど変化なく、第２の動作モードのトランシーバモジュールは、第１と第２のコイルからの監視ゾーンから信号を受信し、音響−磁気ＥＡＳシステムはさらに、トランシーバモジュールからの受信信号を処理し、予め決められた条件に基づいてアラームを生成するためのマイクロプロセッサを含む。
【００２５】
本発明のさらに別の随意の代表的な態様は、電子式商品監視（ＥＡＳ）システムを提供し、第１のコイルと第２のコイルは部分的に重なり、共通の面内に位置付けられる。
【００２６】
本発明のさらに別の随意の代表的な態様は、電子式商品監視（ＥＡＳ）システムを提供し、生成された第１と第２の信号は、ほぼ同相のみのそれぞれ第１と第２の磁場である。
【００２７】
本発明のさらに随意の代表的な態様は、電子式商品監視（ＥＡＳ）システムを提供し、生成された第１と第２の信号は、ほぼ異相のみのそれぞれ第１と第２の磁場である。
【００２８】
本発明のさらに随意の代表的な態様は、電子式商品監視（ＥＡＳ）システムを提供し、生成された第１と第２の信号は、位相特性を備えたそれぞれ第１と第２の磁場であり、該位相特性は正常動作中に維持されるとともに、ほぼ同相の特性とほぼ異相の特性のみの１つを有し、動作中にはほとんど何の信号位相変化も起こさない。
【００２９】
本発明のさらに随意の代表的な態様は、電子式商品監視（ＥＡＳ）システムを提供し、トランシーバモジュールは、アンテナの第１と第２のコイルにつながれたトランシーバ回路からなる。
【００３０】
本発明の別の随意の代表的な態様は、電子式商品監視（ＥＡＳ）システムを提供し、該システムは、台座システム内に物理的に配された複数の独立した監視システムを含み、該複数の独立した監視システムは、第１のＥＡＳシステムと、第１のＥＡＳシステムから独立し、かつ、自律した第２のＥＡＳシステムとを含む。
【００３１】
本発明のさらに別の随意の代表的な態様は、電子式商品監視（ＥＡＳ）システムを提供し、第１のＥＡＳシステムは第１の周波数で動作し、第２のＥＡＳシステムは、第１の周波数とは異なる第２の周波数で機能する。
【００３２】
本発明の別の随意の代表的な態様は、電子式商品監視（ＥＡＳ）システムを提供し、第１のＥＡＳシステムは、磁石、磁性物体、磁気ＥＡＳタグ、および、磁気分離器を含む磁性材料の検出のための磁気ＥＡＳシステムと、ファラデーシールドの検出のために、磁気ＥＡＳシステムから独立し、かつ、自律して機能する抗ファラデーシールドＥＡＳシステムからなる。
【００３３】
本発明の別の随意の代表的な態様は、電子式商品監視（ＥＡＳ）システムを提供し、第２のＥＡＳシステムは音響−磁気ＥＡＳシステムからなり、該音響−磁気ＥＡＳシステムは、複数のアンテナ、ＥＡＳタグの監視ゾーンを定義する信号の生成と送信のために、および、監視ゾーンから信号を受信するために、多くのアンテナにつながれた制御装置を含み、受信信号は、正常動作中に維持されるとともに、それぞれの信号位相にはほとんど変化を起こさない信号位相特性を有し、制御装置は監視ゾーンからの受信信号を処理し、予め決められた条件に基づいてアラームを生成し、監視ゾーンを定義する信号の生成と送信に影響を与えない。
【００３４】
本発明のさらに随意の代表的な態様は、電子式商品監視（ＥＡＳ）システムを提供し、複数のアンテナのアンテナは第１のコイルと第２のコイルからなる。
【００３５】
本発明のさらに随意の代表的な態様は、電子式商品監視（ＥＡＳ）システムを提供し、第１のコイルと第２のコイルは部分的に重なり、共通の面内に位置付けられる。
【００３６】
本発明の別の随意の代表的な態様は、電子式商品監視（ＥＡＳ）システムを提供し、
送信された信号はほぼ同相のみの磁場である。
【００３７】
本発明のさらに別の随意の代表的な態様は、電子式商品監視（ＥＡＳ）システムを提供し、送信された信号はほぼ異相のみの磁場である。
【００３８】
本発明のさらに別の随意の代表的な態様は、電子式商品監視（ＥＡＳ）システムを提供し、送信された信号は位相特性を備えた磁場であり、該位相特性は正常動作中に維持されるとともに、ほぼ同相の特性とほぼ異相の特性のみの１つを有し、動作中にはほとんど何の信号位相変化も起こさない。
【００３９】
本発明のさらに随意の代表的な態様は、電子式商品監視（ＥＡＳ）システムを提供し、制御装置は、複数のアンテナにつながれたトランシーバ回路からなるトランシーバモジュールを含む。
【００４０】
本発明のさらに随意の代表的な態様は、電子式商品監視（ＥＡＳ）システムを提供し、複数のアンテナは複数のトランシーバアンテナであり、複数のトランシーバアンテナのトランシーバアンテナは第１のコイルと第２のコイルからなる。
【００４１】
本発明のさらに随意の代表的な態様は、電子式商品監視（ＥＡＳ）システムを提供し、複数のアンテナは、複数の送信器アンテナと複数の受信機アンテナからなり、複数の送信器アンテナと受信機アンテナのアンテナは、第１のコイルと第２のコイルからなる。
【００４２】
本発明の別の随意の代表的な態様は、電子式商品監視（ＥＡＳ）システムを提供し、受信信号は、複数の受信機アンテナからマルチプレクサによって取得（ｆｅｔｃｈ）され、受信機アンテナからの受信信号は制御装置のマイクロプロセッサによって個々に処理される。
【００４３】
本発明のさらに別の随意の代表的な態様は音響−磁気ＥＡＳシステムを提供し、該音響−磁気ＥＡＳシステムは、アンテナ、ＥＡＳタグのための監視ゾーンを定義する信号の生成および送信のために、および、監視ゾーンから信号を受信するために、アンテナにつながれた制御装置を含み、送信された信号は信号位相特性を有し、該信号位相特性は正常動作中に維持されるともに、それぞれの信号位相にはほとんど何の変化も起こさず、制御装置は監視ゾーンからの受信信号を処理し、予め決められた条件に基づいてアラームを生成し、監視ゾーンを定義する信号の生成と送信に影響を与えない。
【００４４】
本発明のさらなる別の随意の代表的な態様は、電子式商品監視（ＥＡＳ）システムを提供し、アンテナは単一コイルからなる。
【００４５】
本発明のさらなる随意の代表的な態様は、電子式商品監視（ＥＡＳ）システムを提供し、送信信号は、ほぼ一定の位相を備えた磁場である。
【００４６】
本発明のさらなる随意の代表的な態様は、電子式商品監視（ＥＡＳ）システムを提供し、制御装置は、アンテナにつながれたトランシーバ回路からなるトランシーバモジュールを含む。
【００４７】
本発明のさらなる随意の代表的な態様は、電子式商品監視（ＥＡＳ）システムを提供し、アンテナは、複数のトランシーバアンテナであり、複数のトランシーバアンテナのトランシーバアンテナは、コイルからなる。
【００４８】
本発明の別の随意の代表的な態様は、電子式商品監視（ＥＡＳ）システムを提供し、複数のアンテナは、複数の送信機アンテナと複数の受信機アンテナからなり、複数の送信機アンテナおよび複数の受信機アンテナは、コイルからなる。
【００４９】
本発明のさらに別の随意の代表的な態様は、電子式商品監視（ＥＡＳ）システムを提供し、受信信号は、マルチプレクサによって複数の受信機アンテナから取得され、受信機アンテナからの受信信号は、制御装置のマイクロプロセッサによって個々に処理される。
【００５０】
本発明のさらに別の随意の代表的な態様は、電子式商品監視（ＥＡＳ）システムを提供し、第１のＥＡＳシステムは、磁性物体を含む磁性材料および磁気ＥＡＳタグの検出用の磁気ＥＡＳシステムからなり、および第２のＥＡＳシステムは、ファラデーシールドの検出用の磁気ＥＡＳシステムから独立し、かつ自律して機能する、抗ファラデーシールドＥＡＳシステムからなる。
【００５１】
本発明のさらなる随意の代表的な態様は、電子式商品監視（ＥＡＳ）システムを提供し、磁気ＥＡＳシステムは、複数の電磁システムを含む。
【００５２】
本発明のさらなる随意の代表的な態様は、電子式商品監視（ＥＡＳ）システムを提供し、複数の電磁システムは、複数の磁気センサーを含む。
【００５３】
本発明のさらなる随意の代表的な態様は、電子式商品監視（ＥＡＳ）システムを提供し、複数の磁気センサーは、高透磁率の強磁性体を有するコアと、およびコアに巻かれた伝導体からなる。
【００５４】
本発明の別の随意の代表的な態様は、電子式商品監視（ＥＡＳ）システムを提供し、複数の磁気センサーの第１の磁気センサーは、第１の電磁システムを形成するめに、複数の磁気センサーの第２の磁気センサーにつながれ、複数の磁気センサーの第３の磁気センサーは、第２の電磁システムを形成するために、複数の磁気センサーの第４の磁気センサーにつながれ、第１と第２の電磁システムは独立して機能する。
【００５５】
ここで、本発明のさらに別の随意の代表的な態様は、電子式商品監視（ＥＡＳ）システムを提供し、第１の磁気センサーは、第１の信号を生成し、第２の磁気センサーは、第１の信号と等しいが、ＥＡＳ磁気タグおよび分離器のうちの１つが第１と第２の磁気センサーの両方からほぼ等しく離間して検知される際の誤ったアラームの抑止および防止については、第１の信号とは正反対の、第２の信号を生成し、第３の磁気センサーは、第３の信号を生成し、第４の磁気センサーは、第３の信号と等しいが、ＥＡＳ磁気タグおよび分離器のうちの１つが第３と第４の磁気センサーの両方からほぼ等しく離間して検知される際の誤ったアラームの抑止および防止については、第３の信号とは正反対の、第４の信号を生成し、第１の電磁システムは、第１の監視ゾーンを生成し、第２の電磁システムは、第１の監視ゾーンとは異なる第２の監視ゾーンを生成し、第１の監視ゾーンと第２の監視ゾーンの領域は、ＥＡＳシステムの完全な監視ゾーンを十分にカバーするように重なる。
【００５６】
本発明のさらに別の随意の代表的な態様は、電子式商品監視（ＥＡＳ）システムを提供し、ワイヤーはコアの長手方向の軸の長さ全体に沿ってコアに巻かれる。
【００５７】
本発明のさらに別の随意の代表的な態様は、電子式商品監視（ＥＡＳ）システムを提供し、抗ファラデーシールドＥＡＳシステムは、第１のインダクタコイルを有する第１の抗ファラデーシールドＥＡＳシステム、第２のインダクタコイルを有する第２の抗ファラデーシールドＥＡＳシステムからなり、第１の抗ファラデーシールドＥＡＳシステムは、第２の抗ファラデーシールドＥＡＳシステムにつなげられる。
【００５８】
本発明のさらなる随意の代表的な態様は、電子式商品監視（ＥＡＳ）システムを提供し、第１のインダクタコイルは、第１の幅、第１の軸長さ、および第１の軸中心を備えた第１の空芯を有し、第１のインダクタコイルは、第１の空芯の第１の長手軸全体に沿って第１の空芯に巻かれ、第２のインダクタコイルは、第２の幅、第２の軸長さ、および、第２の軸中心を備えた第２の空芯を有し、第２のインダクタコイルは、第２の空芯の第２の長手軸全体に沿って第２の空芯に巻かれ、第１の空芯は第２の空芯上に配され、第１の軸中心は第２の軸中心に平行に並べられる。
【００５９】
本発明の別の随意の代表的な態様は、電子式商品監視（ＥＡＳ）システムを提供し、抗ファラデーシールドＥＡＳシステムは、単一のインダクタコイルからなる。
【００６０】
本発明のさらに別の随意の代表的な態様は、電子式商品監視（ＥＡＳ）システムを提供し、インダクタコイルは、幅、軸長さおよび軸中心を備えた空心を有し、インダクタコイルは、第１の空芯の長手方向の軸長さ全体に沿って空心に巻かれる。
【００６１】
本発明のさらに別の随意の代表的な態様は、電子式商品監視（ＥＡＳ）システムを提供し、第１のＥＡＳシステムは、磁性物体を含む磁性材料および磁気ＥＡＳタグの検出用の磁気ＥＡＳシステムおよびファラデーシールドを検出する抗ファラデーシールドＥＡＳシステムの１つのみからなり、第２のＥＡＳシステムは、音響−磁気ＥＡＳタグを検知する１以上の音響−磁気ＥＡＳシステムからなる。
【００６２】
本発明のさらなる随意の代表的な態様は、電子式商品監視（ＥＡＳ）システムを提供し、音響−磁気ＥＡＳシステムは、単一コイルからなるアンテナ、アンテナＥＡＳタグのための監視ゾーンを定義する信号を生成し送信するための、および監視ゾーンからの信号を受信するための、アンテナにつながれた制御装置を含み、送信信号は、正常動作の間維持され、その信号位相にほとんど変化が起こらず、信号位相特性を有し、および該制御装置は、監視ゾーンからの受信信号を処理し、予め決められた条件に基づいたアラームを生成し、監視ゾーンを定義する信号の生成および送信に影響を及ぼさない。
【００６３】
本発明の別の随意の代表的な態様は、電子式商品監視（ＥＡＳ）システムを提供し、音響−磁気ＥＡＳシステムは、第１のコイルおよび第２のコイルを含むアンテナと、第１の動作モードでそれぞれの第１信号および第２信号を生成し、送信するための第１のコイルおよび第２のコイルにつながれ、ＥＡＳタグのための、監視ゾーンを定義するトランシーバモジュールとを含み、第１の信号および第２の信号は、正常動作の間に維持される、それぞれ、第１の信号位相特性および第２の信号位相特性を有し、それぞれの信号位相にほとんど変化が起こらず、第２の動作モードのトランシーバモジュールは、第１のコイルと第２のコイルからの監視ゾーンから信号を受信し、音響−磁気ＥＡＳシステムはさらに、トランシーバモジュールからの受信信号を処理し、予め決められた条件に基づいてアラームを生成するためのマイクロプロセッサを含む。
【００６４】
本発明のさらに別の随意の代表的な態様は、電子式商品監視（ＥＡＳ）システムを提供し、第２のＥＡＳシステムは、音響−磁気ＥＡＳシステムからなり、該音響−磁気ＥＡＳシステムは、１以上の送信機アンテナループ並びに第１の受信機アンテナループおよび第２の受信機アンテナループからなる複数のアンテナを含み、第１の受信機アンテナループおよび第２の受信機アンテナループは、部分的に重なり合い、共通の面内に配置され、該音響−磁気ＥＡＳシステムはさらに、ＥＡＳタグのための監視ゾーンを定義する信号を生成し、送信するため、および監視ゾーンから第１の受信機信号および第２の受信機信号を受信するために、１以上の送信機アンテナループにつながれた制御装置を含み、送信信号は、正常動作の間維持される信号位相特性を有し、それぞれの信号位相にほとんど変化が起こらず、および制御装置は、監視ゾーンからの第１と第２の受信機信号を処理し、予め決められた条件に基づいてアラームを生成し、かつ、監視ゾーンを定義する信号の生成と送信に影響を与えず、該制御装置は、それぞれ、第１と第２の受信機アンテナループからの第１と第２の受信信号を、第１と第２のデジタル信号に変換する、第１と第２のアナログデジタル（Ａ／Ｄ）変換器を有するマイクロプロセッサと、２つの異なる予め定められた時間で２回、それぞれ、第１と第２のデジタル信号を同時にサンプリングする第１と第２のサンプラーと、第１および第２の受信機アンテナループからの第１と第２の両方のサンプリングされたデジタル信号を操作し、その結果得られた操作を、予め決められた基準と比較する演算機構とを含む。
【００６５】
本発明のさらなる随意の代表的な態様は、さらに次のものを含む電子式商品監視（ＥＡＳ）システムを提供し、保安区域に、および保安区域から移動する存在を数えるためのカウント機構を含む。
【００６６】
本発明の別の随意の代表的な態様は、電子式商品監視（ＥＡＳ）システムを提供し、カウント機構は、１以上の赤外線ゲートからなる。
【００６７】
本発明のさらに別の随意の代表的な態様は、電子式商品監視（ＥＡＳ）システムを提供し、カウント機構は、デジタルビデオレコーダーからなる。
【００６８】
本発明のさらなる随意の代表的な態様は、電子式商品監視（ＥＡＳ）システムを提供し、カウント機構は、本物のアラームの確認および誤ったアラームの判定に使用される。
【００６９】
本発明のこのように述べられた利点は、ほんの例示であり、本発明の制限として解釈されるべきでない。本発明のこれらの特徴および他の特徴、態様および利点は、以下に続く図面および特許請求の範囲と共に、好ましい制限しない代表的な実施形態の以下の詳述から当業者に明白になる。
【００７０】
図面は、代表的な例証のみの目的のために使用され、本発明の限定の定義としては使用されないことを理解されたい。開示の全体にわたって、単語「代表的な」は、「例として、実例または例証として役立つ」ことを意図することがもっぱら意味される。「代表的な」と評された任意の実施形態は、必ずしも、他の実施形態よりも好ましい、または有利なものとして解釈されない。
【００７１】
図面に関して、同様の参照文字が、その全体にわたって対応する部分を示す。
【図面の簡単な説明】
【００７２】
【図１Ａ−１】本発明に係るにＥＡＳシステムの代表的な実例である。
【図１Ａ−２】本発明に係るＥＡＳシステムの別の実施形態の代表的な実例である。
【図１Ａ−２】本発明に係るＥＡＳシステムのさらに別の実施形態の代表的な実例である。
【図１Ａ−３】本発明に係るＥＡＳシステムのさらなる実施形態の代表的な実例である。
【図１Ａ−４】本発明に係るＥＡＳシステムのさらなる実施形態の代表的な例証である。
【図１Ａ−５】本発明に係るＥＡＳシステムのさらに別の実施形態の代表的な実例である。
【図１Ｂ】図１Ａ−１のＥＡＳシステムの代表的な実例であり、図１Ｂは、本発明に係る代表的な「受信機」台座の前側側面を示す。
【図１Ｃ】図１Ａ−１のＥＡＳシステムの代表的な実例であり、図１Ｃは、本発明に係る代表的な「送信機」台座の前側側面を示す。
【図１Ｄ】図１Ａ−１のＥＡＳシステムの代表的な実例であり、図１Ｄは、本発明に係る代表的な「送信機」台座と「受信機」台座の背面を示す。
【図２Ａ−１】本発明に係る電磁ＥＡＳシステムのアンテナの代表的な実例である。
【図２Ａ−２】ＥＡＳタグの代表的な実例である。
【図２Ａ−３】本発明に係る磁気ＥＡＳタグの代表的な実例である。
【図２Ｂ】本発明に係る電磁ＥＡＳシステムアンテナからのアンテナ信号を処理するための代表的な回路図である。
【図２Ｃ】本発明に係る電磁ＥＡＳシステムアンテナからのアンテナ信号の処理するための代表的な回路図である。
【図２Ｄ】本発明に係るマイクロプロセッサによる電磁ＥＡＳシステムからのアンテナ信号の処理のためのフローチャート図の代表的な実例である。
【図３Ａ−１】本発明に係る抗ファラデーシールドＥＡＳシステムのアンテナの代表的な実例である。
【図３Ａ−２】本発明に係る抗ファラデーシールドＥＡＳシステムのアンテナの別の実施形態の代表的な実例である。
【図３Ｂ】本発明に係る抗ファラデーシールドＥＡＳシステムからのアンテナ信号の処理のための代表的な回路図である。
【図３Ｃ】本発明に係るマイクロプロセッサによる抗ファラデーシールドＥＡＳシステムからのアンテナ信号の処理のためのフローチャート図の代表的な実例である。
【図４Ａ−１】本発明に係る音響−磁気ＥＡＳシステムのアンテナの代表的な実例である。
【図４Ａ−２】本発明に係る音響−磁気ＥＡＳシステムのアンテナの別の実施形態の代表的な実例である。
【図４Ｂ】本発明に係る音響−磁気ＥＡＳシステムからのアンテナ信号の処理のための代表的な回路図である。
【図４Ｃ】本発明に係る音響−磁気ＥＡＳシステムからのアンテナ信号の処理のための代表的な回路図である。
【図４Ｄ】本発明に係る受信信号の内部信号処理の代表的な実例である。
【図４Ｅ−１】本発明に係る図４Ｄにおいて例証した信号処理と組み合せて使用され得る音響−磁気システムのための様々な好ましいアンテナ構成の代表的な実例である。
【図４Ｅ−２】本発明に係る図４Ｄにおいて例証した信号処理と組み合せて使用され得る音響−磁気システムのための様々な好ましいアンテナ構成の代表的な実例である。
【図４Ｅ−３】本発明に係る図４Ｄにおいて例証された信号処理と共に使用され得る様々なアンテナ構成の模範的な図である。
【図４Ｅ−４】本発明に係る図４Ｄにおいて例証された信号処理と共に使用され得る様々なアンテナ構成の模範的な図である。
【図４Ｆ−１】本発明に係るマイクロプロセッサによる音響−磁気ＥＡＳシステムからのアンテナ信号の処理のための模範的な概略のフローチャート図である。
【図４Ｆ−２】本発明に係るマイクロプロセッサによる音響−磁気ＥＡＳシステムからのアンテナ信号の処理のための模範的な概略のフローチャート図である。
【図４Ｇ】本発明に係る妨害対抗の信号解析、タイミングおよび実例を含む、音響−磁気ＥＡＳシステムのアンテナ信号の模範的な概略の信号グラフである。
【図４Ｈ】本発明に係る妨害対抗の信号解析、タイミングおよび実例を含む、音響−磁気ＥＡＳシステムのアンテナ信号の模範的な概略の信号グラフである。
【図４Ｉ】本発明に係る妨害対抗の信号解析、タイミングおよび実例を含む、音響−磁気ＥＡＳシステムのアンテナ信号の模範的な概略の信号グラフである。
【図４Ｊ】本発明に係る妨害対抗の信号解析、タイミングおよび実例を含む、音響−磁気ＥＡＳシステムのアンテナ信号の模範的な概略の信号グラフである。
【図４Ｋ】本発明に係る妨害対抗の信号解析、タイミングおよび実例を含む、音響−磁気ＥＡＳシステムのアンテナ信号の模範的な概略の信号グラフである。
【図４Ｌ】本発明に係る妨害対抗の信号解析、タイミングおよび実例を含む、音響−磁気ＥＡＳシステムのアンテナ信号の代表的な概略の信号グラフである。
【図５Ａ】本発明に係る計数器を備えた本発明の台座システムの模範的な図である。
【図５Ｂ】本発明に係る計数器を備えた本発明の台座システムの模範的な図である。
【図５Ｃ】本発明に係る計数器を備えた本発明の台座システムの模範的な図である。
【図５Ｄ】本発明に係る計数器を備えた本発明の台座システムの模範的な図である。
【発明を実施するための形態】
【００７３】
添付の図面に関して以下に述べられる詳細な記載は、本発明の現在好ましい実施形態の記載として意図され、本発明が構築および／または利用され得る唯一の形態を表わすようには意図されない。
【００７４】
実例の目的のために、プログラムおよび他の実行可能なプログラムコンポーネントは、そのようなプログラムおよびコンポーネントが異なる保管要素の中で様々な時間に存在することがあることが認識されるが、別々のブロックとして本明細書に示され、コンピューターのデータ処理によって実行される。さらに、フローチャート内の各々のブロックは、両方の方法機能、操作、または行為、および方法機能、操作、または行為を行なうための１つ以上の要素を表わし得る。加えて、実行に従って、対応する１つ以上の要素は、ハードウェア、ソフトウェア、ファームウェア、またはそれらの組み合わせで形成され得る。
【００７５】
ほとんどのＥＡＳシステムは、特定周波数で連続的に（あるいはパルス中で）信号を送信する送信機アンテナ（通常入口／出口ゲートの２つの台座の１つ）を含み、それは、隣接した受信機アンテナ（通常、入口／出口ゲートの２つの台座の他方）によって拾い上げられる。さらに、ほとんどのＥＡＳシステムは、商品に通常付けられているタグ（２８１）（図２Ａ−２）を含む。ＥＡＳタグ（２８１）は、ＥＡＳシステムの送信機アンテナによって発せられた特定周波数信号に応答するために調整されるエレクトロニクス（２８３）および（２８９）を含む。ＥＡＳタグ（２８１）は、アラームを引き起こす監視信号を感知して作り出すトリガー装置として解釈され得る。ＥＡＳタグ（２８１）の制限しない例は、磁気的に感知可能な装置、無線周波数（ＲＦ）の感知可能な装置、または他のものを含み得る。磁気感知装置の制限しない例は、フェライトコイルの形状である信号検出器であり、監視信号の制限しない例は、フェライトコイルによって検知される磁気信号であり得る。フェライトコイルは周知であり、様々なタイプのコイル構造を有する。
【００７６】
取り付けられたＥＡＳタグ（２８１）を備えた商品が、（ＥＡＳシステムの監視ゾーン内にもたらされた）送信機と受信機の台座間に通されると、ＥＡＳタグ（２８１）は、送信機アンテナによって発せられた特定周波数信号に応答する。その後ＥＡＳタグ（２８１）は、ＥＡＳタグ信号を送信し、それは適切な反応を起動する（例えば、アラームを引き起こす）隣接した受信機アンテナによって拾い上げられる。
【００７７】
ＥＡＳタグによる送信のタイミングは異なり、ＥＡＳシステムに依存する。制限しない例として、音響−磁気ＥＡＳシステムは、連続信号ではなくパルス化された信号の送信によって作動する。ＥＡＳ音響−磁気システムのＥＡＳタグが、音響−磁気システムの監視ゾーン内にもたらされる場合、ＥＡＳタグは、送信機からＲＦパルスに応答し、ＥＡＳ音響−磁気システム送信機から信号パルス間で特定周波数信号のみを発する。ＥＡＳタグからの信号のこの放射は、ＥＡＳ音響−磁気受信機によって検知され、一連の対応する行動（例えば、アラームを引き起こす）を決定するために、適切な信号特性（例えば信号周波数、振幅、繰返速度など）に関するコンピューターによって分析される。
【００７８】
本発明は、基礎物理、技術および操作原理の違いに関わらず、台座システムの共有スペース内の多数の個々の電子式商品監視システムを含み、および、組み合わせる商品監視システムを提供する。組み合わされたシステムから結果として生じる相乗作用は、全体的な監視能力を改善して別々に実施されれば、各単独システムの欠点を克服する堅牢な監視システムを提供する。
【００７９】
図１Ａ−１は、本発明の１つの実施形態に係る電子式商品監視システムの模範的な概略の（あるいは「代表的な」）図である。示されるように、本発明の電子式商品監視（ＥＡＳ）システム（１００）は、台座システム（１０１）内に物理的に位置する、組み合わされた複数の独立した監視システムからなる。台座システム（１０１）は、１つまたは複数の個々の台座からなり、「送信する」台座、「受信する」台座、または「トランシーバ」台座として解釈され得る。
【００８０】
図１Ｂ、１Ｃおよび１Ｄは、図１Ａ−１にて示される本発明のＥＡＳシステム（１００）の模範的な図であり、図１Ｂは「受信機」台座（１０３）の前側側面を示し、図１Ｃは「送信機」台座（１０５）の前側側面を示し、および図１Ｄは、「送信機」並びに「受信機」台座（１０３）および（１０５）の後側側面を示す。従って、図１Ａ−１における台座システム（１０１）は、「受信する」台座（１０３）（図１Ｂ）内の受信電子基板に接続される各々の対応する受信アンテナへ信号を送信するため、台座（１０５）内の送信電子基板に接続された様々なシステムのための各々の送信アンテナで「送信する」台座（１０５）（図１Ｃ）として構成され得る。
【００８１】
以下に詳述されるように、本発明の電子式商品監視（ＥＡＳ）システム（１００）が、複数の独立した監視システムを組み合わせるとすれば、「送信する」台座または「受信する」台座としての台座の単なる分類は、十分ではない。例えば、以下に更に詳述されるように、台座システム（１０１）内の電子式商品監視（ＥＡＳ）システム（１００）は、磁気ＥＡＳタグ（２８５）（図２Ａ−３）を検知する磁気ＥＡＳシステム（２００）（図２Ａ）、磁気分離機、またはその監視ゾーン内の他の磁石を含む。磁気分離機の制限しない例が、ＥＡＳ音響−磁気（ＡＭ）ハードタグの分離のため、ＡＭステッカーラベルの解除（ｄｅａｃｔｉｖａｔｉｎｇ）のためなどに使用され得る、永久磁石であるということが注目されるべきである。以下に詳述されるように、本発明の磁気ＥＡＳシステム（２００）の利口な磁石検出器の配置は、一般に用いられている磁石の検出を抑止する。このシステムは、受信アンテナとしてのみ機能するアンテナでは受動的（passive）であり、それは、「送信する」台座（１０５）および「受信する」台座（１０３）の両方に含まれ得る。別の実施例（および以下に詳述される）のように、台座システム（１０１）内の電子式商品監視（ＥＡＳ）システム（１００）はまた、ファラデーシールド（Ｆａｒａｄａｙ ｓｈｉｅｌｄｓ）を「ブースターバッグ（ｂｏｏｓｔｅｒ ｂａｇ）」の形で検知する抗ファラデーシールドＥＡＳシステム（ａｎｔｉ−Ｆａｒａｄａｙ ｓｈｉｅｌｄｉｎｇ ＥＡＳ ｓｙｓｔｅｍ）（３００）（図３Ａ−１および３Ａ−２）を含む。この模範的な例では、システム（３００）は、「送信する」台座（１０５）内に送信アンテナを、および「受信する」台座（１０３）内に受信アンテナを含む。最終的な例として、およびまた以下に詳述されるように、台座システム（１０１）内の電子式商品監視（ＥＡＳ）システム（１００）はまた、信号を送受信する音響−磁気ＥＡＳシステム（４００）（図４Ａ−１および４Ａ−２）を含む。すなわち、システム（４００）は、「送信する」台座（１０５）内に送信アンテナを、および「受信する」台座（１０３）内に受信アンテナを含み得る。しかしながら、ＥＡＳシステム（４００）の場合、システムはまた、ＥＡＳシステム（４００）が単一の「トランシーバ」台座内の信号を受け取る第２の操作モードと同様に、信号を送信する第１モードで操作することができる場合、単一の「トランシーバ」台座へ構成され得る。従って、開示の全体にわたって、用語「送信機台座」、「受信機台座」または「トランシーバ台座」は、議論された特定のＥＡＳシステムの前後関係に照らして解釈されるべきである。
【００８２】
図１Ａ−１に関して、および上述のように、本発明の電子式商品監視（ＥＡＳ）システム（１００）は、基礎物理、技術および操作原理が台座システム（１０１）と異なる、組み合わせられた様々な、十分に独立した、自律的な、個々のＥＡＳシステムを有し、一方で各々のＥＡＳシステムに関する基礎物理、技術および操作原理における個々の違いを維持する。別の方法において述べた、本発明の電子式商品監視（ＥＡＳ）システム（１００）は、もしそれにより全体的な監視能力を相乗的に改善するために別々に実施されれば、各システムの弱点を克服する堅牢な監視システムを提供するので、個々のＥＡＳシステムによって利用可能にされた利点をすべて提供する。
【００８３】
図１Ａ−１においてさらに示したように、すべてのシステム用の（送信機、受信機またはトランシーバアンテナとしての）アンテナはすべて、台座システム（１０１）内部に物理的に配置され、およびすべては、各々の基礎物理、技術および操作原理に従って、独立して自律的に作動する。本発明の電子式商品監視（ＥＡＳ）システム（１００）は、互いにそれらの物理的な近い接近度により、アンテナシステム間の磁束干渉（ｆｌｕｘ ｉｎｔｅｒｆｅｒｅｎｃｅｓ）を（無視できる量に）最小化した。すなわち、台座システム（１０１）内の各々の個々のシステムに関する各々の個々のアンテナの、例えば巻線などの形状、サイズ、位置、配向、数および方向決めに関する物理的な配置は、磁束干渉を最小化するために相互に配列されるが、各々の独立した自律的な操作上の原理を維持する。従って、台座の共有スペース内の様々なＥＡＳアンテナの相互配向、方向決め、および実際の物理的な配置は、最小の磁束干渉を達成するためのアンテナおよび台座配置と相応して異なるが、個々のＥＡＳシステムの独立した自律的な操作上の原理を維持する。制限しない例として、ＥＡＳシステム（１００）のＥＡＳアンテナは、無視できる磁束干渉を達成するために、より小さいが楕円形の台座が図１Ａ−１、１Ｂ、１Ｃおよび１Ｄ内で示されるものの代わりに使用される場合、異なる配置および相互位置を有するが、個々のＥＡＳシステムの独立した自律的な操作上の原理を維持する。
【００８４】
台座システム（１０１）内の電子式商品監視（ＥＡＳ）システム（１００）は、磁気ＥＡＳタグ（２８５）（図２Ａ−３）を検知する磁気ＥＡＳシステム（２００）（図２Ａ）、またはその監視ゾーン内の磁気分離機のような他の磁石を含む。磁気分離機は、タグが取り付けられる商品からＥＡＳタグの開放および除去を可能にする、適切な磁気強度を有する強力な磁石である。磁気ＥＡＳタグを遮断する（ｓｈｉｅｌｄ）試みにおいて、ファラデーケージ（例えば「ブースターバッグ」）が使用されても、システム（２００）の配置は、取り付けられる磁気ＥＡＳタグ（２８５）を備えた商品の検出を可能にする。図２Ａ−３で示されるように、本発明は、プラスチック本体の内部の磁気要素（２８７）を含んでいる磁気ＥＡＳタグ（２８５）を提供し、磁気ＥＡＳシステム（２００）によってその検出を可能にする。
【００８５】
上述の通り、一般的に、ＥＡＳタグ（２８１）は、ＥＡＳシステムの電界中に外乱（ｄｉｓｔｕｒｂａｎｃｅ）を引き起こすことができる装置であり、それは次々に、ＥＡＳシステムにアラームを引き起こさせる。最も従来のＥＡＳシステムは、それらの電界を乱すＥＡＳタグ（２８１）内の同調回路によって引き起こされた電界の外乱に対してのみ敏感である。アラームに関する必要条件に依存するアラームを引き起こすために、この外乱はＥＡＳシステムによって処理される。本発明は、電界および磁界の両方に敏感な新システムを作り出すために、磁石（２８７）に対して敏感なシステムを加える。
【００８６】
特に、図２Ａ−３で示されるように、本発明は、インダクタ−コンデンサ（Ｌ−Ｃ）（２８３）および（２８９）、様々なループ（２８３）へ巻かれ、分路コンデンサ（２８９）で終了した長いコンダクタワイヤ（ａ ｌｅｎｇｔｈ ｏｆ ｃｏｎｄｕｃｔｏｒ ｗｉｒｅ）で作られたタグ（２８５）を提供する。このコイル−コンデンサの組み合わせ（２８３）−（２８９）の周波数は、本発明の磁気ＥＡＳタグ（２８５）がＥＡＳシステムに共振するように設定される。本発明は、コイル（２８３）の真ん中に配置された磁石（２８７）をさらに提供し、それは磁気ＥＡＳタグ（２８５）の共振周波数における転位を作り出す。共振からのこの転位は、共振に本発明の磁気ＥＡＳタグ（２８５）を設定するため、Ｌ−Ｃ  （２８３）−（２８９）プロパティをそのように修正することにより直される。Ｌ−Ｃ回路（２８３）−（２８９）の共振の調節は、コイル（２８３）の中心に磁石（２８７）を埋め込み、およびそれによって誤ったアラームを回避するためにＥＡＳシステムの共振周波数に合わせられたＬ−Ｃ  （２８３）−（２８９）を持ち続けることが可能となる。本発明の磁気ＥＡＳタグ（２８５）は、通常のＥＡＳタグ（２８１）のように機能するが、本発明の磁気ＥＡＳタグ（２８５）内に埋め込まれた磁石（２８７）のため、アルミホイルを敷いた（ｆｏｉｌ−ｌｉｎｅｄ）、または他のファラデーシールドの「電界」シールド効果に対して影響を受けない。
【００８７】
さらに電子式商品監視（ＥＡＳ）システム（１００）に含まれるものは、万引き犯によって使用されるファラデーシールドを検知する、抗ファラデーシールドＥＡＳシステム（３００）（図３Ａ−１および３Ａ−２）である。従って、磁気ＥＡＳタグが使用されていないが、代わりに磁性がないＥＡＳタグ（例えば、ＲＦ  ＥＡＳタグ）がその効果を遮断するためにブースターバッグの内部で使用されれば、抗ファラデーシールドシステム（３００）は遮断物質を検知し、店の人間に通知する。
【００８８】
上記のシステムに加えて、本発明の電子式商品監視（ＥＡＳ）システム（１００）はまた、音響−磁気ＥＡＳタグ（図示せず）を検知する音響−磁気ＥＡＳシステム（４００）（図４Ａ−１および４Ａ−２）を含む。本発明は、トランシーバ信号の妨害を防ぐ信号妨害防止ルーチン（ｓｉｇｎａｌ ｊａｍｍｅｒ ｐｒｅｖｅｎｔｉｏｎ ｒｏｕｔｉｎｅ）をさらに提供する。全てのシステムが合理的に広い台座システム（１０１）内に適合するように重なり合うことに注目すべきである。
【００８９】
上述の通り、本発明の電子式商品監視（ＥＡＳ）システム（１００）は、台座システム（１０１）内に磁気ＥＡＳシステム（２００）を含み、それは複数の電磁システムを有する。図１Ａ−１および２Ａで示されるように、磁気ＥＡＳシステム（２００）は、複数の磁気センサーを含む複数の電磁システム（２００Ａ）および（２００Ｂ）、並びにコアに巻きつけられたコンダクタからなり、複数の磁気センサーは、高透磁率を備えた強磁性材料を有する。第１の電磁システム（２００Ａ）および第２の電磁システム（２００Ｂ）は、互いから完全に独立し、自律しており、および潜在的な検出穴または「ブラインドスポット（ｂｌｉｎｄ ｓｐｏｔ）」を除去するように重なり合う、独立した監視ゾーンを有している。その理由は以下に詳述される。
【００９０】
一般に、第１の電磁システム（２００Ａ）は第１の監視ゾーン「Ａ」を提供し、および第２の電磁システム（２００Ｂ）は第１の監視ゾーン「Ａ」とは異なる第２の監視ゾーン「Ｂ」を提供し、第１の監視ゾーン「Ａ」および第２の監視ゾーン「Ｂ」の領域は、本発明の電子式商品監視（ＥＡＳ）システム（１００）の完全な監視ゾーンのための任意の可能な「ブラインドスポット」を完全にカバーするように重なり合う。
【００９１】
より具体的には、第１の監視ゾーン「Ａ」を提供する第１の電磁システム（２００Ａ）を形成するために、多くの磁気センサーの第１の磁気センサ（１０２）は、多くの磁気センサーの第２の磁気センサ（１０６）と組み合わせられ、第２の監視ゾーン「Ｂ」を提供する第２の電磁システム（２００Ｂ）を形成するために、多くの磁気センサーの第３の磁気センサ（１０４）は、多くの磁気センサーの第４の磁気センサ（１０８）と組み合わせられる。
【００９２】
システム（２００）が受動的なシステムであるため、台座（１０１）内の他のＥＡＳシステムに関する、電磁気ＥＡＳシステム（２００）の第１および第２電磁システム（２００Ａ）および（２００Ｂ）の位置（または物理的位置）は、他のシステムに対して影響を与えずに異なり得る。すなわち、電磁気ＥＡＳシステム（２００Ａ）および（２００Ｂ）はそれぞれ、それらの監視ゾーン「Ａ」および「Ｂ」から磁気タグ信号を受け取る、「あるいは拾い上げる」だけである。さらに、計算の単純化、および最小あるいは０の検出「穴」またはブラインドスポットを有する、重なり合う監視ゾーンを保証することに関して最良の結果のため、電磁システム（２００Ａ）および（２００Ｂ）の両方の代表的な磁気センサー（１０２）、（１０６）、（１０４）および（１０８）がそれらの軸中心を縦に配列することが一般に好ましく（しかし、制限なしで）、それら各々の端部は、例示された垂直の方向で互いから等しく引き離される。
【００９３】
図２Ａで示されるように、監視ゾーン「Ａ」からの検出を提供する電磁気ＥＡＳシステム（２００Ａ）について、第１の磁気センサ（１０２）は、その監視領域（１）に基づいた第１の検出信号を作り出し、第２の磁気センサ（１０６）は、第１の信号に対する極性が等しいが、反対である（位相の不一致）、（その監視部分２に基づいた）第２の検出信号を作り出す。反対の極性の第１および第２検出信号は、ＥＡＳ磁気タグ（２８５）が、各々第１および第２磁気センサー（１０２）および（１０６）の両方から等距離で十分に検知される場合、誤ったアラームの抑止および防止のためのものである。このスキームは、（さらに以下に詳述された）誤ったアラームを防ぐが、監視ゾーン「Ａ」の重なり合う監視領域（１）と（２）の間で、ブラインドスポットまたは検出穴（以下に詳述）を作り出す。
【００９４】
さらに図２Ａで示したように、電磁気ＥＡＳシステム（２００Ｂ）の第３の磁気センサ（１０４）は、その監視領域３に基づいた第３の検出信号を作り出し、第４の磁気センサ（１０８）は、その監視領域４に基づいた第４の検出信号を作り出す。それらの組み合わせは、電磁気ＥＡＳシステム（２００Ｂ）の監視ゾーン「Ｂ」を構成する。ＥＡＳ磁気タグ（２８５）が、各々第３および第４の磁気センサー（１０４）および（１０８）の両方から等距離で十分に検知される場合、第４の検出信号は、誤ったアラームの抑止および防止については、等しいが、第３の検出信号と極性が反対である。しかしながら、このスキームはまた、監視ゾーン「Ｂ」の重なり合う監視領域（３）と（４）の間でブラインドスポット（以下に詳述）を作り出す。
【００９５】
一般に、等しいが反対の極性信号（または位相の不一致である信号）は、多数の周知の方法によって作り出されることがあり、その幾つかの制限しない例は、コアのまわりのコンダクタの異なる巻線方向（例えば、あるものは時計回りに、そして別のものは反時計回りに）、またはコアのまわりのコンダクタの異なる巻線接続方式を含み、等しいが反対の極性信号を結果として生じる。従って、例えば、電磁システム（２００Ａ）の磁気センサ（１０２）は、時計回りに巻かれる巻線を有し、同システム（２００Ａ）の磁気センサ（１０６）は、等しいが反対の極性電気信号を作り出すために反時計回りに巻かれる巻線を有し得る。別の特定の制限しない例として、両方の磁気センサー（１０２）および（１０６）は、同じ向きに巻かれるコンダクタを有するが、等しいが異なる極性電気信号を備えた出力信号に結果として生じるコンダクタ端接続（ｃｏｎｄｕｃｔｏｒ ｅｎｄ ｃｏｎｎｅｃｔｉｏｎｓ）を有する。コンダクタは、コアの実質的な縦の軸方向長さに沿って、コアに巻きつけられる。結果として生じる電気部品（最終的な磁気センサ）が出力信号の位相のための補正と電気的に等しい（例えば、十分に同一の電気的出力信号、例えば等しい電圧を提供する）限り、各々の磁気センサーを構成する個々の部品が、それぞれの態様において変わり得ることは注目されるべきである。すなわち、各磁気センサーの位相信号のための補正（ｃｏｒｒｅｃｔｉｏｎ）と共に、結果として生じる電気部品が電気的に等しい限り、コア、コンダクタ、およびコアに巻きつけられたコンダクタの巻数は、各磁気センサーのためのあらゆる態様（例えば、コアの長さ、透磁率、コンダクタの種類、巻回方向など）において異なり得る。
【００９６】
図２Ａを参照し、上述したように、誤ったアラームを防ぐため、対象物が両方の磁気センサー対と十分に等しい距離を有していることを検知する場合、本発明は、互いに取り消し合う等しいが反対の位相を備えた電気的な検出信号を作り出す、１組の磁気センサーを使用する。例えば、単一の磁気センサーが使用されれば（例えば、磁気センサ（１０２）のみを使用、および他は使用しない）、その後この単一の磁気センサ（１０２）は、その監視領域内および外で、磁気ＥＡＳタグ（２８５）または他の磁性材料が組み合わされる任意の商品を検知し、アラームを引き起こす。例えば、磁気的にタグを付けられた商品は、店の人間によって店の中で（例えば、取り付けられたタグ（２８５）を備えた１個の衣料品は、店の裏にあちこちに移動される）、台座システム（１０１）の監視ゾーンの外へ移動され得る。この代表的な段階では、仮想上の単一の磁気センサ（１０２）は、タグ付きの商品の動きを検知し、誤ったアラームを引き起こす。それゆえ、磁気対象物を検知し、タグの付いた対象物の位置にかかわらずアラームを引き起こす単一の磁気センサーを使用する問題を克服するために、本発明は、等しいが反対の極性を備えた検出信号を生成する１組の磁気センサーを使用する。誤ったアラームを防ぐため、両方の磁気センサー対とほぼ等しい距離を有している対象物を検知する場合、作り出された等しいが反対の極性信号は、互いに相殺し合う（ｃａｎｃｅｌ）。
【００９７】
台座システム（１０１）から遠い対象物は一般に、システム（２００Ａ）または（２００Ｂ）内の個々の磁気センサーの各々からほぼ等しい距離を有する。従って、磁気ＥＡＳタグ（２８５）および第１の磁気センサ（１０２）の間のはるかに長い距離、および同じＥＡＳタグ（２８５）および第２の磁気センサ（１０６）の間のはるかに長い距離は十分に等しく（Ｄ１はＤ２にほぼ等しい）、両方の各々第１および第２の磁気センサー対（１０２）および（１０６）のはるかに短い距離（近接近）を与えられる。対（１０２と１０６）によって作り出される信号が等しいが反対の位相になり、互いに相殺し合うので、そのような検出はアラームを引き起こさない。従って、これは、対象物が監視ゾーン内にあるかどうかにかかわらず、磁気対象物を検出し、誤ったアラームを引き起こす単一の磁気センサーを使用する問題を克服する。しかしながら、また上述されるように、等しいが反対の検出信号は、監視ゾーン内に検出穴を作り出す。
【００９８】
磁気ＥＡＳタグ（２８５）が監視ゾーン内にあるが（磁気センサー対の何れかの近くで）、両方の組の磁気センサー（例えば（１０２）と（１０６））から離れて等しく引き離された場合、（例えば、（１０２）と（１０６）により作り出された）検出信号の同じ相殺は監視ゾーン内に生じ、アラームを作動させることの無い監視ゾーン自体内に「ブラインドスポット」を作り出す。「ブラインドスポット」に関連した問題を未然に防ぐために、本発明は、重なり合う監視ゾーンを備えた、２つの電磁システム（２００Ａ）および（２００Ｂ）を使用する。言い換えれば、第１の監視ゾーン「Ａ」は、ゾーン「Ｂ」の監視領域（３）および（４）の潜在的なブラインドスポットをカバーするように第２の監視ゾーン「Ｂ」を重なり合わせ、第２の監視ゾーン「Ｂ」は、ゾーン「Ａ」の監視領域（１）および（２）の潜在的なブラインドスポットをカバーするように第１の監視ゾーン「Ａ」を重なり合わせる。
【００９９】
上述のとおり、計算の単純性のため、及び検出の最小量を備えた監視ゾーンを重ね合わせることを保証することに関する、最良の結果のために、「穴部」またはブラインドスポット（ｂｌｉｎｄ  ｓｐｏｔ）、電磁気システム（２００Ａ）および（２００Ｂ）の両方の例示的な磁気センサー（１０２）、（１０６）、（１０４）及び（１０８）が互いに等しく離間されることが一般的に好ましく、それらの軸心が、図示された垂直の姿勢で長手方向に並べられることが好ましい。これは、監視部分及び領域の間で「穴部」またはブラインドスポットが検知されず、および監視ゾーンの外側の周りで磁気タグが移動した際に誤報がなく、個々の電磁気システム（２００Ａ）および（２００Ｂ）によって、磁気ＥＡＳタグから磁気信号（２７３）が検知され得るか、拾われ得る集合的な監視ゾーン（２７１）内で生じる。
【０１００】
図１Ａ−１に戻って参照し、および更に図３Ａ−１を参照すると、本発明の電子的物品監視（ＥＡＳ）システム（１００）は、万引きによって使用される「ブースターバッグ」の形態のファラデーシールドを発見する抗ファラデーシールドＥＡＳシステム（図３Ａ−１）をさらに含んでいる。従って、磁気ＥＡＳタグまたは非磁性ＥＡＳタグ（例えば、ＲＦ  ＥＡＳタグ）が、その効果をシールドするためにブースターバッグの内部で使用され置かれれば、抗ファラデーシールドシステム（３００）は万引きを防いで、シールド材料を検知するであろう。
【０１０１】
抗ファラデーシールドＥＡＳシステム（３００）は、第１誘導コイル（１２２）を有する第１抗ファラデーシールドＥＡＳシステム（３００Ａ）と、第２誘導コイル（１２６）を有する第２ファラデーシールドＥＡＳシステム（３００Ｂ）とを備え、第１抗ファラデーシールドＥＡＳシステム（３００Ａ）は第２抗ファラデーシールドＥＡＳシステム（３００Ｂ）と結合されている。第１誘導コイル（１２２）は、第１幅（１５２）、第１軸長（１５４）および第１軸心（１１３）を備えた第１空芯を有し、第１誘導コイル（１２２）は第１空芯の第１長手軸の全体に沿って第１空芯の周りに巻かれている。第２誘導コイル（１２６）は、第２幅（１１１）、第２軸長（１０９）および第２軸心（１１５）を備えた第２空芯を有し、第２誘導コイル（１２６）は、第２コアの第２長手軸の全体に沿って第２空芯の周りに巻かれている。この場合、両方の巻線（１２２）および（１２６）が同じ向きにあることは注目されるべきである。さらに例示した、第１空芯は第１軸心（１１３）と共に、第２空芯上に位置し、第１軸心（１１３）は第２軸心（１１５）と平行に（かつ、同一平面内）並べられる。図１Ａ−１および４Ａ−１に最良に例示されるとおり、音響−磁気ＥＡＳシステム（４００）の第１巻線（１３２）の第１ストレート・セクション（４０２）は、第１軸心（１１３）を介して通される。また、音響−磁気ＥＡＳシステム（４００）の第２巻線（１３４）の第２ストレート・セクション（４０４）は、第２軸心（１１５）を介して通される。この配置は、抗ファラデーシールドＥＡＳシステム（３００）と音響−磁気ＥＡＳシステム（４００）の間のフラックス干渉を最小化する。
【０１０２】
抗ファラデーシールドＥＡＳシステム（３００）が単一の延長された、分離されるか独立しているユニットとして機能することができる誘導コアから構成され得ることは注目されるべきである。しかしながら、音響−磁気ＥＡＳシステム（４００）のアンテナ（１３２）および（１３４）にその接近を与えられて、抗ファラデーシールドＥＡＳシステム（３００）は、フラックス干渉を最小化するために第１及び第２抗ファラデーシールドＥＡＳシステム（３００Ａ）および（３００Ｂ）に分割される。さらに、すべてのシステムのアンテナをフラックス干渉を中和する共振周波数に調整するために、第１および第２抗ファラデーシールドＥＡＳシステム（３００Ａ）及び（３００Ｂ）の位置および配向は、音響−磁気ＥＡＳシステム（４００）のストレート・セクション（４０２）および（４０４）に沿って配列される。これは、アンテナ（１３２）および（１３４）の曲線部（１４０）、（１４２）、（１４４）、（１４６）、（１４８）および（１５０）の回避によるアンテナの計算および調整の困難さを除去する。さらに、音響−磁気ＥＡＳシステム（４００）のストレート・セクション（４０２）および（４０４）に沿った、第１及び第２抗ファラデーシールドＥＡＳシステム（３００Ａ）および（３００Ｂ）の位置、配置および配向は、無視できるフラックス干渉と共に、「８」構成から「Ｏ」構成への切り替え、または逆に架設（システム（４００）の動作の前）の間のアンテナ（１３２）および（１３４）の交換を可能にする。最後に、例示されるような第１および第２抗ファラデーシールドＥＡＳシステム（３００Ａ）及び（３００Ｂ）の配置は、より長い監視ゾーン（監視ゾーンを通り抜ける各々の全長）を提供して、台座システム（１００）の全長をカバーする。
【０１０３】
図１Ａ−１及び４Ａに最良に例示され、かつ上述したとおり、ＥＡＳシステム（１００）は音響−磁気ＥＡＳシステム（４００）をさらに含み、音響−磁気ＥＡＳシステム（４００）は第１上部コイル(あるいはループ)（１３２）および第２下部コイル(あるいはループ)（１３４）の底部と共に、音響−磁気ＥＡＳシステム（４００）は第２下部コイル（１３４）の頂部と重なる第１上部コイル（１３２）を有するアンテナを含む。第１上部コイル（１３２）と第２下部コイル（１３４）のコーナー（１４０）、（１４２）、（１４４）、（１４６）、（１４８）、および（１５０）は丸くされ、曲がったコーナーを備えた実質的に長方形の形態を形成している。
【０１０４】
仮設及び動作の前に、システム（４００）がシステム（４００）の動作中に互いに関して位相の異なる出力信号を出力する場合、２個のコイル（１３２）および（１３４）およびそれらの重なり合うスキームの使用が重要であることは注目されるべきである。加えて、２個のコイルおよびそれらの重なり合う使用はシステム（４００）（仮設と動作前）が信号を出力するように構成する能力を提供する。当該信号は、またシステム（４００）の動作中の単なる同相であるが、台座の共有スペース内の他のＥＡＳシステム用のアンテナの残りの物理的位置を再構成する必要がない。すなわち、単一のコイルのみ（図１Ａ−２）では、システム（４００）の動作中に同相である出力信号を生成するために使用されることがあるが、２個のコイル（１３２）および（１３４）ならびにそれらの重なり合うスキームの使用は、台座システム（１０１）内のＥＡＳシステム（１００）全体の構成を一旦可能にし、同時にシステム（４００）が位相の異なる信号を出力するか、あるいは他のＥＡＳシステムの他のアスペクトを修正せずに、その動作中に同相信号だけを出力するかを決定するために、ＥＡＳシステム（１００）を実行する仮設者にオプションを提供する。
【０１０５】
したがって、第１および第２コイル（１３２）及び（１３４）はＥＡＳタグのための監視ゾーンを定義して、第１動作モードへのそれぞれの第１信号および第２信号を生成し送信するように構成することができる。第１および第２信号は、それぞれの信号相の本質的な変化なしで、通常操作の間に維持されるそれぞれの最初と別信号位相特性を有し得る。言いかえれば、それらは同相のみであるか、あるいは、それらは位相の異なる信号を送信するように構成される。
【０１０６】
図１Ａ−２〜１Ａ−５は、本発明の他の実施形態に従う電子物品監視システムの例示的な概略図（あるいは「代表的な」)図である。図１Ａ−２〜１Ａ−５はＥＡＳシステム（１１１）、（１１３）、（１１５）および（１１７）の例示的な図であり、図１Ａ−１に示され、かつ前述したＥＡＳシステム（１００）と類似の対応する構成要素、あるいは等価の構成要素、相互接続および又は強調関係を含む。したがって、簡潔性、明瞭性、利便性のために、そして複製を回避するために、図１Ａ−２〜１Ａ−５の一般的な説明は、すべての対応する構成要素又は等価な構成要素あるいは図１Ａ−１に示されるＥＡＳシステム（１００）に関して上述した相互接続を繰り返すとは限らないだろう。
【０１０７】
図１Ａ−２は、単一コイル（１３７）（また図４Ａ−２）で構成されるアンテナを備えた音響−磁気ＥＡＳシステムを含むＥＡＳシステム（１１１）の例示的な図である。制御装置（以下に詳述される）は、ＥＡＳタグのための、および監視ゾーンから信号を受け取ることのための監視ゾーンを定義する信号の生成および送信のためにアンテナ（１３７）と結び付けられる。送信された信号は、信号の部分の本質的な変化なしで、通常操作の間に維持される信号の位相特性（例えば同相）を有している。制御装置は、監視ゾーンから受信信号を処理し、所定条件に、および監視ゾーンを定義する信号の生成および伝達の達成なしで基づいたアラームを生成する。
【０１０８】
図１Ａ−３は、ＥＡＳシステム（１１３）が単一の長く延びた抗ファラデーシールドＥＡＳシステム（３００）として誘導コア（１２３）を使用する差異を備えた図１Ａ−２のそれに似ているＥＡＳシステム（１１３）の例示的な図である。すなわち、単一のアンテナコイル（１３７）が同相信号を出力するために音響−磁気ＥＡＳシステム（４００）に使用される場合、フラックス干渉を最小化するために抗ファラデーシールドＥＡＳシステム（３００）を半分に分割する必要はない。その代わりに、単一抗ファラデーシールドＥＡＳシステム（３００Ｃ）（図３Ａ−２）のみが使用されてもよい。また、さらに、フラックス干渉を中和するための共振周波数に全システムのアンテナを調整するために、抗ファラデーシールドＥＡＳシステムの位置および配向は音響−磁気ＥＡＳシステムアンテナ（１３７）のストレート・セクション（４７１）（図４Ａ−２）に沿って配列され得る。これは、アンテナ（１３７）の曲線部（１５０）、（１１８）、（１７０）および（１７２）の回避により計算し、アンテナの調整の際の困難さを除去する。最後に、例示されるような第１および第２抗ファラデーシールドＥＡＳシステム（３００Ｃ）の配置は、より長い監視ゾーン（監視ゾーンを通り抜ける各々の全長）を提供して、台座システム（１１３）の全長をカバーするだろう。図１Ａ−３及び３Ａ−２に最良に例示した誘導コイル（１２５）は、幅（１５１）、軸長（１７１）および軸心（１１７）を備えた空芯（１２３）を有し、誘導コイル（１２５）は空芯（１２３）の長手軸全体に沿って空芯（１２３）に巻かれ、アンテナ（１７３）のストレート・セクション（４７１）は空芯（１２３）の軸心（１１７）を介して通される。
【０１０９】
図１Ａ−４および図１Ａ−５は、抗ファラデーシールドＥＡＳシステム（３００）および電磁気ＥＡＳシステム（２００）を含む、それぞれのＥＡＳシステム（１１５）および（１１７）の例示的な図であり、図１Ａ−４は１つの抗ファラデーシールドＥＡＳシステム（３００Ｃ）（図３Ａ−２）を使用し、図１Ａ−５は２つの抗ファラデーシールドＥＡＳシステム（３００Ａ）および（３００Ｂ）（図３Ａ−１）を使用している。
【０１１０】
上述されるように、図１Ｂ、１Ｃおよび１Ｄは本発明のＥＡＳシステム（１００）の例示的な図であり、異なる形状の台座システム（１０１）にインストールされ、図１Ｂは受信器台座（１０３）の前側側面を示し、図１Ｃは送信器台座（１０５）の前側側面を示し、および図１Ｄは送信器および受信器台座（１０３）および（１０５）の後部側を示す。図１Ｂ、１Ｃおよび１Ｄに示されるように、音響−磁気ＥＡＳシステム（４００）の電磁気ＥＡＳシステム（２００）、ストレート・セクション（４０２）および（４０４）の電磁石は、フラックス干渉を最小化する抗ファラデーシールドＥＡＳシステム（３００）の誘導コア（１２２）および（１２６）の第１及び第２軸心（１１３）および（１１５）に沿って整列する。従って、図示された異なるＥＡＳシステムアンテナは個々のＥＡＳシステムの独立した、自律の動作上の原理を維持しつつ、最小のフラックス干渉を達成するために台座内の利用可能な共有スペースと釣り合った相互位置を有するように構成される。
【０１１１】
システム（４００）のアンテナループが台座の内部の表面へ位置（例えば、永久取り付け）で固定され、調節のために移動させることができないので、最小の信号ノイズ（最小のフラックス干渉）用のＥＡＳシステム（１００）の調整は、音響−磁気ＥＡＳシステム（４００）から始まる。システム（４００）を回転する際に、制御装置（下記に詳述）の送信器ボードの誘導／容量は、システム（４００）のアンテナコイルのインダクタンス（すなわち共振周波数）に合わせられる（一致する）。その後、抗ファラデーシールドＥＡＳシステム（３００）が設置される。また、音響−磁気ＥＡＳシステム（４００）からの信号は、送信器台座からＥＡＳシステム（３００）の受信器アンテナを含んでいる受信器台座に送信される。ＥＡＳシステム（４００）から送信された信号バースト（ｂｕｒｓｔ）は、ＥＡＳシステム（３００）に認識不可能であるので、単なる信号ノイズと見なされるか、検知され、それらは測定される。その後、この「信号ノイズ」を連続的に測定する間に、ＥＡＳシステム（３００）のアンテナの物理的な位置は、最小の検知ノイズ又は測定信号雑音位置に徐々に移動される。図で示された例示的な例では、ＥＡＳシステム（３００）のアンテナのためのこの位置は、ＥＡＳシステム（４００）アンテナのストレート・セクションに沿っていることが見出される。
【０１１２】
電磁気ＥＡＳシステム（２００）と異なり、抗ファラデーシールドシステム（３００）および音響−磁気ＥＡＳシステム（４００）は受動的でなく、動作の伝送モードおよび受信モードの両方が可能であることは注目されるべきである。従って、１つのシステム（例えば、抗ファラデーシールドシステム（３００））の伝達信号は、別のシステム（例えば、音響−磁気ＥＡＳシステム（４００））の受信能力または質に影響することがあり、影響を及ぼすことがある。すなわち、１つのシステムから（例えば、抗ファラデーシールドシステム（３００）から）送信された信号は、単に別のシステム（例えば、音響−磁気ＥＡＳシステム（４００））の受信カウンター部への雑音である。限定しない例として、例示的な送信台座（１０５）（図１Ｃ）の抗ファラデーシールドシステム（３００）は、受信台座（１０３）（図１Ｂ）のカウンター部抗ファラデーシールドシステム（３００）に信号を送信することがある。しかしながら、音響−受信台座（１０３）（図１Ｂ）内の磁気ＥＡＳシステム（４００）は、また抗ファラデーシールドシステム（３００）によって送信されるのと同じ信号を受け取るであろう、しかし、この信号は単にシステム（４００）への雑音である。それは、音響−磁気ＥＡＳシステム（４００）の動作の受信性能または質に影響を及ぼし影響することがある。音響−磁気ＥＡＳシステム（４００）が例示的な送信台座（１０５）からその信号バーストを送信するとき、それは真実であり、それは、否定的にその受信動作を有効にする抗ファラデーシールドシステム（３００）をまた含んでいる、対応する受信台座（１０３）によって受信される。音響−磁気ＥＡＳシステム（４００）から送信された信バーストは、単に受信台座（１０３）内の抗ファラデーシールドシステム（３００）への雑音である。
【０１１３】
フラックス干渉および信号のノイズを最小化する、互いにアンテナの物理的な位置に対する考察に加えて、本発明は、またさらに信号干渉を少なくするために他の機構を提供する。本発明は「異質の」信号（すなわち、単に特定のＥＡＳシステムへの雑音である、非在来又は認識不可能な信号）を減ずるためにＥＡＳシステム内の減少スキームを提供するものであり、当該減少スキームは、他のＥＡＳシステムから送信され、適切な対応する送信するＥＡＳシステムから受信された、認識された「在来の」信号を向上させるスキームを押し上げている。減衰スキームの限定しない例は、特定のＥＡＳシステムの特定の「搬送」周波数（例えば音響−磁気ＥＡＳシステム（４００）のための約５８ｋＨｚおよびＥＡＳシステム（３００）のための別の動作周波数）に基づく信号をフィルタにかけるフィルタ回路又は特定のＥＡＳシステムに対して「在来」であり得る信号を押し上げるための増幅器を含み得る。回路トポロジーおよび信号処理のための各ＥＡＳシステムの処理スキームは、以下に詳細に述べる。
【０１１４】
図２Ｂ及び２Ｄは、電磁気ＥＡＳシステムアンテナ（２００Ａ）および（２００Ｂ）からのアンテナ信号の処理のための例示的な概略の回路およびフローダイアグラムである。図２Ｂおよび２Ｄは電磁気ＥＡＳシステム（２００）のために使用される例示的な概略の回路トポロジーであり、図２Ｃは図２Ｂで示される２つの代わりの単一プロセッサの使用を示している。図２Ｄは、マイクロプロセッサによってアンテナ信号のさらなる処理を例示するフローダイアグラムである。
【０１１５】
図２Ｂで例示されるように、電磁気ＥＡＳ信号処理回路（２０２）は、第１信号ライン（１２０）によって第１電磁気ＥＡＳシステムアンテナ（２００Ａ）と結び付けられた、電磁気ＥＡＳ信号処理回路（２０２Ａ）、および第２信号ライン（１１８）によって第２電磁気ＥＡＳシステムアンテナ（２００Ｂ）と結び付けられた第２電磁気ＥＡＳ信号処理回路（２０２Ｂ）と共に２つの同一の回路（２０２Ａ）および（２０２Ｂ）で構成される。第１および第２電磁気ＥＡＳ信号処理回路（２０２Ａ）および（２０２Ｂ）が同一の場合、一般的な説明は、簡潔性、明瞭性、利便性のために、および、複製を回避するために、電磁気ＥＡＳ信号処理回路（２０２Ｂ）に向けられる。
【０１１６】
図２Ｂを参照すると、電磁気ＥＡＳ信号処理回路（２０２Ｂ）は、入ってくるアンテナ信号（利得係数に基づく）を増幅し、増幅信号を出力する増幅器（２０６）と共に基づいたソフトウェアになり得て、調整可能な第１増幅利得（２０８）を備えた第１増幅器（２０６）で構成される。同じように、さらに例示した、電磁気ＥＡＳ信号処理回路（２０２Ｂ）は、また増幅信号の雑音とフィルタにかけられた信号の生成の信号処理のための低域フィルター（２１０）を含んでいる。発生と雑音を区別するために変化速度を決定し、当該変化速度が速い場合に差動信号を生成するために、異なる入力段（２１２）を持つ差動増幅器（２１８）が提供される。異なる入力段（２１２）は、例示的に第１ＲＣ回路からなる第１タイマー、および例示的に第２セットのＲＣタイマーからなる第２タイマーを有している。
【０１１７】
出力された差動信号は、差動信号を増幅し、第２増幅信号を出力するためのそれ自体の第２増幅利得（２２２）（それはまたソフトウェアベースであり得、調整可能である）を備えた第２増幅器（２２０）によってさらに処理される。この第２増幅段はマイクロコンピュータ（２２４）が信号を処理することを可能にするように要求される。電磁気ＥＡＳ信号処理回路（２０２Ｂ）は、また第２増幅信号の処理のためにマイクロプロセッサ（２２４）を含んでいる、また感度閾値レベル（２２６）（それは調節用の可変抵反器として実行されることがあるか、ソフトウェアベースであり得る、そしてプロセッサ（２２４）に内蔵）に基づき、アラームが生成されるか否かを測定する。例示されなかったが、第２増幅器（２２０）から第２増幅信号は、さらなる処理用のマイクロコンピュータ（２２６）によってデジタル信号に変換されるアナログ信号である。デジタル信号へのアナログ信号の変換は周知で、アナログデジタル変換器（Ａ／Ｄ）によってマイクロプロセッサの外部で実行される。
【０１１８】
差動増幅器（２１８）は、τ１＞＞τ２のとき、第１時間τ１、および第２時間τ２を生成する第２ＲＣタイマー（２１６）を生成する第１ＲＣタイマー（２１４）で構成される異なる入力段（２１２）（それはソフトウェアベースであり得る）を含んでいる。同じ入力信号はタイマー（２１４）によってτ１およびτ２の時間を計る時間τ１から入ってくるアンテナ信号に重要な変化がある場合、測定タイマー（２１６）によるτ２で異なる入力段（２１２）によって分析することができる。異なる入力段（２１２）は、差動増幅器（２１８）のそれぞれの第１及び第２入力に両方の出力を供給する。差異が差動増幅器（２１８）に存在する場合（信号の変化速度が速く、τ１およびτ２の時間に基づく）、差動増幅器（２１８）はさらに処理される増幅された差動信号を出力する。さもないと、出力は生成されない。
【０１１９】
さらに示されたように、マイクロコンピュータ（２２４）は第２増幅信号（第２増幅器（２２０）からの）を変換する。それは内部Ａ／Ｄ変換器（図示せず）を使用して、デジタル化入力信号の中へのアナログである。例示的にマイクロプロセッサの動作上の行為のフローを例示する図２Ｄで最良に例示されるように、デジタル化入力信号は動作上の行為（２０５）で読まれ、サンプリングされる（毎秒約１０サンプル）。サンプリングデータの平均は動作上の行為（２０７）で測定されて、動作上の行為（２０９）でサンプリングされた平均として格納される。それは図示された“Δ”で、図２Ｄにおいて参照符号（２２１Ａ）、（２２１Ｂ）．．．（２２１Ｎ）によって参照される。動作上の行為（２１１）では、図２Ｄでの数字（２２１Ａ）、（２２１Ｂ），．．．（２２１Ｎ）によって参照された平均の傾斜または傾向（２２３）に関して決定がなされる。参照符号（２２１Ａ）〜（２２１Ｎ）によって参照される平均値における設定期間Ｔ内に増加している傾向（傾斜）（２２３）が存在することが測定され、かつ傾向が増加しており、サンプリングされた平均が感度閾値（２２５）（動作上の行為（２１３）での）より大きいとき、マイクロコンピュータはアラーム（動作上の行為（２１５）での）を生成する。さもないと、タイマーはリセットされる。上記のスキームは誤報を回避するために行なわれる。機能的な行為（２１５）でのアラームの生成が回路（２８０Ａ）、（２８０Ｂ），．．．（２８０Ｎ）によって行なわれ得るのであり、様々な表示器（２３０Ａ）〜（２３０Ｎ）は種々のスイッチ素子（２２８）（その全部はまたソフトウェアベースであり得る）によって動作されることは注目されるべきである。
【０１２０】
上述したように、図２Ｃは、図２Ｂで示される２台のプロセッサ（２２４）および（２５０）の代わりに単一・プロセッサ（２２４）の使用を例示する。すなわち、図２Ｂ内での電磁気ＥＡＳ信号処理回路（２０２Ａ）は、電磁気ＥＡＳシステム（２００Ａ）からの信号を処理するためにマイクロコンピュータ（２５０）を使用する。しかし、図２Ｃで、電磁気ＥＡＳ信号処理回路（２０２Ａ）は電磁気ＥＡＳ信号処理回路（２０２Ｂ）とプロセッサ（２２４）を共有する。
【０１２１】
図３Ｂ及び３Ｃは、抗ファラデーシールドＥＡＳシステム３００からアンテナ信号の処理のための例示的な概略の回路およびフローダイアグラムである。図３Ｂおよび３Ｃの記載は、第１誘導コイル（１２２）を有する第１抗ファラデーシールドＥＡＳシステム（３００Ａ）と第２誘導コイル（１２６）を有する第２抗ファラデーシールドＥＡＳシステム（３００Ｂ）を用いて提供され、第１抗ファラデーシールドＥＡＳシステム（３００Ａ）は第２抗ファラデーシールドＥＡＳシステム（３００Ｂ）に結び付けられている。しかしながら、図３Ｂおよび３Ｃの記載が、抗ファラデーシールドＥＡＳシステム（３００Ｃ）にも適用することは、当業者には容易に明白になるだろう。それにもかかわらず、これらの誘導コイル（システム（３００Ａ）及び（３００Ｂ）、または代替的に（３００Ｃ）を形成する）は、図３Ｂで送信器アンテナ（３０８）および受信器アンテナ（３１２）として表わされる。送信器アンテナ（３０８）および受信器・アンテナ（３１２）が単一のトランシーバアンテナに組み合わされ得ることは注目されるべきである。送信器台座におけるアンテナは連続的な信号を発し、受信台座におけるアンテナはその連続的な信号を受信する。
【０１２２】
図３Ｂで例示されるように、抗ファラデーシールドＥＡＳシステム（３００）は周波数セレクター（３０４）によってセットされた所定周波数で搬送波信号を生成するために信号発生装置（３０２）を備えた抗ファラデーシールドＥＡＳ信号処理回路（３０１）を含んでいる。信号発生装置（３０２）は媒介正弦波を生成する発信器であり得る。また、周波数セレクター（３０４）はソフトウェアルーチンとして実行されることがあり、それは周知である。ＥＡＳシステム（３００）の動作のための所定周波数の非限定的な例は、他のシステムパラメタに依存して、約２０ｋＨｚ〜約３０ｋＨｚまでの例示的な周波数範囲を含み得る。抗ファラデーシールドＥＡＳ信号処理回路（３０１）は、生成された搬送波信号を増幅し、アンテナ（３０８）に増幅信号を出力するために、第１増幅利得（３０６）（それは調整可能で、実行されたソフトウェアであり得る）を備えた第１増幅器（３０８）をさらに含んでいる。アンテナ（３０８）（それは送信器台座において誘導コイル（１２２）及び（１２６）を表す）は、送信信号（３２２）として増幅信号を送信する。さらに、受信アンテナ３１２（それは受信台座において誘導コイル（１２２）及び（１２６）を表す）が送信アンテナ（３０８）から送信された信号（３２２）を受信するために含まれている。抗ファラデーシールドＥＡＳシステム（３００）の監視ゾーン内でファラデーシールド（ブースターバッグ（３１０）なしに送信された信号（３２２）（視覚的なプレゼンテーションおよび発明についてのよりよい理解用）の非限定的の例示的な形態がグラフ（３３０）として示される。抗ファラデーシールドＥＡＳシステム（３００）の監視ゾーン内にファラデーシールド（ブースターバッグ（３１０））がある場合、信号はグラフ（３２２）に示される信号（３０３）として表わされ得る。グラフ（３３０）における信号形態のように、信号形態（３０３）は視覚的なプレゼンテーションおよび発明についてのよりよい理解のための非限定的の例示的な形態である。
【０１２３】
同じようにさらに例示した、抗ファラデーシールドＥＡＳ信号処理回路（３０１）は、受信信号の増幅および第２増幅信号の出力のために第２増幅利得（３１６）（それはソフトウェアベースであり得、調整可能である）を備えた第２増幅器（３１４）をさらに含んでいる。低域フィルター（３１８）は、第２増幅信号の雑音およびフィルタにかけられた信号の生成の信号処理に使用される。振幅復調器（３２０）も復調された信号を生成するフィルタにかけられた信号の復調のために使用される。抗ファラデーシールドＥＡＳシステムアンテナ（３０８）および（３１２）の監視ゾーン内にファラデーケージがない（ブースターバッグ（３１０）がない）ならば、復調された信号は滑らになる。一般に、復調は、アナログ信号（この場合、搬送波信号）からベースバンド・信号のオリジナル状態へ調節を移す行為である。受信器システム（３１２）が特定の特徴を備えた被変調搬送波信号を受信するので、復調は必要である。それはそのベースバンドに戻されなければならない。抗ファラデーシールドＥＡＳシステムアンテナ（３０８）および（３１２）の監視ゾーン内にファラデーケージ（ブースターバッグ（３１０））がある場合、例示的な信号（３０３）は、下落（グラフ（３２２）に示される）と共に受信器システム（３１２）（その後、それは（３２６）として参照された信号に復調器によって復調される（キャリアーが削除される））によって受信される。この信号（３２６）は例示的に応答またはファラデーシールド（ブースターバッグ（３１０））の「形態」を表わす。再び、図示された信号はすべて単なる視覚的な説明または一例にすぎない。それらは発明についてのよりよい理解のために示されたのであり、限定されるべきではない。
【０１２４】
抗ファラデーシールドＥＡＳ信号処理回路（３０１）は、発生と雑音を区別し復調信号における変化速度を測定し、及び変化速度が速い場合に差動信号を発生するために、さらに差動増幅器（２１８）を含んでいる。差動増幅器（２１８）は、τ１＞＞τ２であり、第１時間τ１を生成する第１タイマー、および第２時間τ２を生成する第２タイマーを備えた異なる入力段（２１２）（それはソフトウェアベースであり得る）を含んでいる。異なる入力段（２１２）の回路トポロジーおよび機能は、上述のものと同一である。さらに図示されたように、差動信号を増幅し、第３増幅信号を出力するための第３増幅利得（２２２）（それはまたソフトウェアベースであり得、調整可能である）を備えた第３増幅器（２２０））。マイクロプロセッサ（２２４）は、第３増幅信号（信号は、プロセッサ内でアナログ／デジタル変換器（Ａ／Ｄ）によってまず変換される）の処理のために使用され、感度閾値レベルに基づいてアラームが生成されるか否かを決定する。感度閾値レベルは、調整可能な抵抗器のように実行される調整可能な値である。それはソフトウェアベースになり得、プロセッサに内蔵され得る。
【０１２５】
図３Ｃに最良に示されるように、例示的にマイクロプロセッサ（２２４）の動作上の行為のフローを図示しており、デジタル化入力信号は動作上の行為（３４１）でサンプリングされ、動作上の行為（３４２）で読まれる。非限定的なサンプリング速度の例は、約２５０のサンプルについて読むマイクロプロセッサ（２２４）（Ａ／Ｄ変換器経由）により、約毎秒２６００サンプルである。その後、それはフィルタにかけられ、平均化される。サンプリングデータの平均２５０の数値は動作上の行為（３４４）で測定されて、ランダムアクセスメモリ（ＲＡＭ）ユニットのようなマイクロプロセッサのメモリでの動作上の行為（３４６）でサンプリングされた平均として格納される。格納されたサンプリングされた平均（毎秒約１０のフィルタにかけられた平均化されたサンプル）は、アンテナ（３０８）および（３１２）によって送信され、受信される信号の画像を「構成する」ためにマイクロコンピュータ（２２４）によって読まれ、集められるのに充分なデータを有している。動作上の行為（３４６）の格納された結果は、その後、学習された発生と比較される。すなわち、マイクロプロセッサ（２２４）は、受信格納されたサンプリング平均（３４６）と所定の信号の特徴と比較し、アラームが生成されるべきか否かを決定する。ニューラル・ネットワーク学習システム、プリプログラムされたアルゴリズム、ファジー理論または他のもののような周知のシステム（３５２）を介して、マイクロコンピュータ（２２４）が、基準信号の特徴として多数のファラデーシールド信号の特徴を教えられ、マイクロコンピュータ（２２４）内にプリプログラムされ、格納されることは注目されるべきである。ブースターバッグ（３１０）が抗ファラデーシールドＥＡＳシステムアンテナ（３０８）および（３１２）の監視ゾーンにもたらされる場合、読まれ、サンプリングされ、平均され、そして学習された特徴信号の参照と比較してアラームが生成されるべきか否かを決定する。従って、信号を定義するすべての信号特性、それゆえ、デジタル信号シグネチャは比較用のマイクロプロセッサ（２２４）に学習され、あらかじめ格納される。充分なサンプリングは、誤報を回避するように、あらかじめ格納された特徴との明瞭な一致を可能にするために、動作上の行為（３４６）で格納される。
【０１２６】
図４Ｂ〜４Ｄは、２つのアンテナコイル（あるいはループ）を有するアンテナを備えた音響−磁気ＥＡＳシステム（４００）のアンテナ信号の処理のための例示的な概略の回路、フローチャートおよび信号のグラフ線図である。音響−磁気ＥＡＳシステム（４００）は、コントロールボックスと結び付けられたアンテナを含んでいる。それは図示された台座システム（１０１）の外部に物理的に位置し得る。コントロールボックス（図４Ｂ）は、ＥＡＳシステム（４００）のアンテナと連結するトランシーバモジュールを含み、送信と受信アンテナの両方としてアンテナが機能することを可能にするアンテナと結び付けられたトランシーバ回路を含む。
【０１２７】
コントロールボックスのトランシーバモジュール内のトランシーバ回路は、１つ以上の送信器台座（４１０）および（４１２）と結び付けられ得る送信ボード（ＴＸボード）（４０６）を含んでいる。さらに、コントロールボックスのトランシーバモジュール内のトランシーバ回路は、１つ以上の受信器台座（４１４）、（４１１）、（４１３）及び（４１５）と結び付けられ得る受信器・ボード（ＲＸボード）（４２４）およびＴＸボード（４０６）を含んでいる。全トランシーバモジュールはＥＡＳシステム（４００）信号を処理するために、ＴＸボード（４０６）とＲＸボード（４２４）の結合によって単一のマイクロプロセッサ（４１６）を共有することができる。
【０１２８】
ＥＡＳシステム（４００）アンテナと結び付けられたトランシーバモジュールは、対応するＥＡＳタグのための監視ゾーンを定義して、第１動作モードへの信号の発生および伝達を可能にする。生成され送信された信号は、信号相の実質的な変化なしに、ＥＡＳシステム（４００）の通常動作の間に維持される信号特性を有している。第２動作モードでは、トランシーバモジュールは、受信信号を処理し、所定の条件に基づいたアラームを生成するマイクロプロセッサ（４１６）と共に、受信器台座でＥＡＳシステム（４００）アンテナを使用して、監視ゾーンから信号を受信する。
【０１２９】
図１Ａ−１〜１Ａ−３に関して上述されるように、音響−磁気ＥＡＳシステム（４００）は第１ループ（１３２）および第２ループ（１３４）を備えるアンテナを含んでいる。あるいは、代替的に、アンテナは単に１つの単一ループ（１３７）を備える。１又は２のループアンテナの任意の組み合わせが台座システム内に予期される。例えば、送信器台座は１つの単一ループアンテナ（１３７）を有し得る。しかし、関連する受信器台座は２つのアンテナループ（例えば第１ループ（１３２）および第２ループ（１３４））を含んでいる。２つのループが伝達（関連する受信器台座で使用されるループの数にかかわらず）に使用されれば、生成された送信器信号は位相特性を備えた第１及び第２磁界を備えるであろう。当該第１及び第２磁界は、通常動作の間に維持され、動作中の実質的な信号の相の変更なしに、実質的に同相及び位相の異なる特徴のいずれか１つのみを有する。架設者は一方の同相のみ（通常動作中いつでも維持される）、あるいは位相の異なるもの（通常動作中いつでも維持される）のいずれかの送信ループ信号を選ぶために選択し得る。従って、通常操作中に、ＥＡＳ音響−磁気アンテナは、動作中の相の変更または変化なしに、同相のみまたは位相の異なるもののみのうちの１つである信号を送信する。他方では、もし単一のループアンテナ（１３７）が使用されれば、その後、送信された信号はすべて明らかに同相になるだろう。図４Ｂおよび４Ｃで例示されるように、２つのアンテナループが使用される場合、送信器の複数の各々のアンテナの第１及び第２ループ（１３２）および（１３４）の両方、ならびに受信器台座とトランシーバ回路が結び付けられることは注目されるべきである。
【０１３０】
図４Ｂと４Ｃ内でさらに示すように、音響−磁気ＥＡＳシステム（４００）は、複数の送信機および受信機の台座を駆動可能な妨害対抗能力を含む音響−磁気ＥＡＳ信号処理回路（または制御ボックス）（４０１）を含む。２つの送信機台座ＴＸｌとＴＸ２（４１０と４１２）、および、４つの受信機台座（ＲＸｌ、ＲＸ２、ＲＸ３、および、ＲＸ４）（４１４、４１１、４１３、および、４１５）のみが示される。明瞭化と便宜上のために、および、重複を避けるために、２つのアンテナループを備える単一の送信機台座ＴＸｌ（４１０）と、２つのアンテナループを備える単一の受信機台座ＲＸｌ（４１４）のみが記載に用いられる。受信機ＲＸボード（４２４）上のＣＰＵ（４１６）は、典型的な５８ｋＨｚの周波数搬送波信号を生成し、該信号は、送信機ＴＸボード（４０６）上の低域フィルター（４１８）によって処理され、増幅器（４２０）によって増幅され、および、複数の送信機台座（例えば、ＴＸｌ（４１０））によって送信される準備の整ったデマルチプレクサー（４２２）によって個々の信号（例えば、台座のアンテナループ当たり１つの信号）に逆多重化される。送信機台座ＴＸｌ（４１０）内の整合回路（ｍａｔｃｈｉｎｇ  ｃｉｒｃｕｉｔ）（８０１）（図４Ｃ）は、Ｔｘアンテナコイル１を共鳴に合わせる。いくつかのコンデンサー（コンデンサーバンク）は、ＴＸｌ（４１０）内のＴｘアンテナコイル１（例えば、ループ（１３２））とＴｘアンテナコイル２（例えば、ループ（１３４））を、共振周波数に合わせるために使用される。
【０１３１】
図４Ｃでさらに示されるように、それぞれの送信機コイルＴｘコイル１（ループ（１３２））とＴｘコイル２（ループ（１３４））によって生成された信号（４３１と４３３）は、受信機台座（例えば、ＲＸｌ（４１４））のうちの受信機コイルＲｘコイル１（受信機台座内のループ（１３２））とＲｘコイル２（受信機台座内のループ（１３４））によって受信される。すべてのアンテナおよびコイルはトランシーバとして機能するが、簡略化のため、および、理解を容易にするために、送受信アンテナとして機能するものとして記載される。受信した送信信号（４３１と４３３）は、増幅器（８０３）によって増幅され（図４Ｃ）、帯域通過フィルタ（８０５）によってフィルタ処理され、受信機台座（例えば、ＲＸｌ（４１４））のうちの受信機コイルＲｘコイル１（受信機台座内のループ（１３２））とＲｘコイル２（受信機台座内のループ（１３４））のドライバ回路（８０７）に与えられる。ドライバ回路（８０７）からのドライブ信号は、マルチプレクサＭＵＸ（４３２）への（ＲＸ増幅器（４３０）の二重チャネル出力を介した）増幅した信号出力によって、ＲＸｌ増幅器（４３０）の二重入力チャネルに入力され、電圧制御増幅器（４３４）の二重入力チャネルに入力される。ＭＵＸ（４３２）のセレクタライン（ｓｅｌｅｃｔｏｒ  ｌｉｎｅ）（４３５）によって、複数のＲＸ増幅器出力のうちの１つ（この代表的な例では、それは、電圧制御増幅器（４３０）である）の選択と入力は、電圧制御増幅器（４３４）への二重入力チャネルのために選択可能である。電圧制御増幅器（４３４）は様々なアンテナからの様々な電圧入力を制御し、任意の環境ノイズを補正するために、（その利得ライン（４３７）を介して）異なる電圧レベル信号を生成する。電圧制御増幅器（４３４）の二重出力チャネルは、受信した送信信号を処理するために、ＣＰＵ（４１６）に入力される。マイクロプロセッサまたはＣＰＵ（４１６）は、電圧制御増幅器（４３４）から受信した信号を処理し、受信機アンテナＣＰＵ（４３３）によるさらなる処理（以下に詳述される）のために、処理結果にも基づいて様々なインジケータ信号（ｉｎｄｉｃａｒｏｔ  ｓｉｇｎａｌ）を受信機アンテナに送り戻す。当然のことながら、記載された各々の構成要素に関する入力／出力チャネルの数は、受信機台座ごとのアンテナループの数に比例する。例えば、受信機台座ＲＸｌ（４１４）が単一のアンテナループのみ（例えば、アンテナループ（１３７））を含む場合、記載された構成要素は１つの入力チャネルと１つの出力チャネルを有することになる。別の例として、受信機台座ＲＸｌ（４１４）が２つの送信機コイルＲｘコイル１（ループ（１３２））とＲｘコイル２（ループ（１３４））の代わりに、４つのアンテナループを有していた場合、記載された構成要素は４つの入力／出力チャネルを有するであろう。
【０１３２】
図４Ｄは、ＣＰＵ（４１６）による、電圧制御増幅器（４３４）からの受信信号の信号処理の代表的な例である。先に記載されたように、音響−磁気ＥＡＳシステム（４００）の送信アンテナについての送信機領域位相の関係は、インストールプロセス中に選択され、その後の動作中、ほぼ一定に維持される。よく知られているように、少なくとも理論上は、タグまたはマーカーが、定位相を備えた送信信号の結果として生成される監視ゾーンを通り抜けるとともに、監視ゾーン内のタグ配向によって検出されないことは可能である。したがって、理論上、タグまたはマーカーが、ほとんど定位相から生成されるまたは形成される監視ゾーン内のその配向によって検出されず、したがって、監視ゾーン内に「検出の穴」をもたらす可能性は存在する。図４Ｄで示されたＣＰＵ（４１６）による信号処理は、定位相を備えた信号によって生成される監視ゾーン内に検出されないタグが発生する可能性を取り除くものである。図４Ｄで示されたＣＰＵ（４１６）の信号処理は、電圧制御増幅器（４３４）の二重出力チャネルから入力されたデジタル信号値の操作を含むことで、受信機台座の受信機アンテナループからの受信信号間の、同相のおよび異相の関係を計算し、それによって、任意のタグの配向を検出するとともに監視ゾーン内の可能な検出の穴を取り除く。
【０１３３】
図４Ｄで示されるように、ＣＰＵ（４１６）は、さらなる信号処理のために、電圧制御増幅器（４３４）の二重出力チャネルからのアナログ信号をデジタル信号に変換するアナログデジタル（Ａ／Ｄ）変換器（４４１と４４３）を含む。その後、デジタル化信号は、Ｒｘコイル１（ループ（１３２））のための各々のサンプラーユニット（４４５）と、Ｒｘコイル２（ループ（１３４））のためのサンプラーユニット（４４７）によって、同時にサンプリングされる。サンプリングレートは、単位時間当たりのアンテナの動作周波数の約Ｎ倍である。例えば、ほとんどの音響−磁気ＥＡＳシステムについては、送信信号の動作周波数は約５８ｋＨｚである。したがって、この代表的かつ非制限的な例では、サンプルレートＮは、４ｘ５８ＫＨｚまたは毎秒２３２キロ−サンプル、または、毎秒２３２，０００サンプルになる。その後、ＣＰＵ（４１６）は、それぞれのアンテナアレイサンプル（４４９と４５１）に、上記のようなＭ個のサンプルを保存する。すなわち、サンプラー（４４５）からのＲｘコイル１（ループ１３２）に関するＭのデジタル化したサンプル信号は、アンテナアレイサンプル（４４９）内に保存され、サンプラー（４４７）からのＲｘコイル２（ループ１３４）に関するＭのデジタル化したサンプル信号は、アンテナアレイサンプル（４５１）内に保存される。保存されるサンプルＭの数の選択は、選択されるアレイサイズ次第である。すなわち、Ｍの数値はアレイのサイズに比例している。この非限定的な例では、アレイ（４４９と４５１）のサイズは、５１２ユニットであり、従って、５１２のサンプルが各サンプラーから選択され、それぞれのアンテナアレイサンプル（４４９と４５１）に保存される。その後、ＣＰＵ（４１６）は、同相信号値（いわゆる「Ｏ」構成）（Ｏ  Ｃｏｎｆｉｇｕｒａｔｉｏｎ）を計算するために、加算器（ＡＤＤＥＲ）（４５３）を介して、アレイ（４４９と４５１）からのそれらのＭサンプルを加え、同相「Ｏ」構成アレイ（４５７）に値を保存し、および、異相信号値（いわゆる「８」構成）を計算するために、減算（ＳＵＢＳＴＲＡＣＴ）機能（４５５）を介して、同じものを引き、異相または「８」構成アレイ（４５９）内に結果を保存する。受信機台座の受信機アンテナループからの受信信号間の計算された同相および異相の関係がその後に用いられる（分析される）ことで、タグまたはマーカーの検出を（任意のタグ配向にかかわらず）を測定し、監視ゾーン内の任意の潜在的な検出の穴を取り除く。
【０１３４】
図４Ｆ−１と４Ｆ−２で示されるフローチャートと、図４Ｇ乃至図４Ｌ（これらのすべてについては以下に詳細に記載される）のタイミングおよび信号分析グラフとから明らかなように、受信データ上の「Ｏ」および「８」構成をサンプルする、保存する、および、計算するＣＰＵ（４１６）の操作上または機能上の行為は、予め定義された予約時刻に２度行なわれる。すなわち、ＣＰＵ（４１６）が、操作上の実行（４５１）として図４Ｆ−１で典型的に示される実際の操作的な機能的な行為によって、タグからデータを受信するために時間を定められたり、時間を記録されたりする場合（図４Ｇの予め決められた予約時間ｔ３で典型的に示される）に、サンプリング、保存、および、計算は第１の予め決められた予約時刻に行なわれる。ＣＰＵ（４１６）が、操作上の実行（４６０）として図４Ｆ−１で典型的に示される実際の操作的な機能的な行為によって、環境ノイズまたは背景ノイズを受信するために時間を定められたり、時間を記録されたりする場合（すなわち、ＣＰＵ（４１６）がこの予約時刻にタグ信号を受信すると予測されない）に（図４Ｇの予め決められた予約時間ｔ５で典型的に示される）、第２のサンプリング、保存、および、計算は第２の予め決められた予約時刻に行われる。他に記載されるように、操作上の行為（４５４）の結果は、（ｔ３で受信するように時間を定められた）タグからのデータに関連するそれぞれのアレイ（４５７と４５９）内の「Ｏ」および「８」構成のデータであり、操作上の行為（４６０）の結果は、（ｔ５で受け取るよう時間を定められた）環境信号からの、それぞれのアレイ（４５７と４５９）内の「Ｏ」および「８」構成のデータである。当然のことながら、アレイの限定的な数しか示されていないのは、明瞭さと説得のためである。実際に、本発明は、多くのアレイを用いることで、図４Ｆ−１の（操作上の行為（４６５と４６７）を含む）操作上の行為（４５６と４６２）の多くのサイクルの信号情報をすべて保存する。加えて、図４Ｂで示されるように、ＣＰＵ（４１６）は、さらなる信号情報とプログラム情報を保存する１つ以上の内部および外部メモリを含む。非限定的な上記のようなメモリの例は、示されたランダムアクセスメモリＲＡＭ（４３９）または電気的消去再書き込み可能な読み出し専用メモリ（ＥＥＰＲＯＭ）（４４１）を含む。
【０１３５】
図４Ｂに戻って参照すると、ＣＰＵ（４１６）によって算出された検出に基づいて、プロセッサー（４１６）は、その後、双方向ハイブリッドマルチプレクサ／デマルチプレクサＭＵＸ／ＤＥＭＵＸ（４３６）を介して、インジケータ信号を要素（８０９）と通信させ、該要素は、受信機台座（例えば、ＲＸ１（４１４））内のＣＰＵ（４３３）を駆動させ、オーディオおよびビジュアルアラームインジケーターを含む要素の限定されない例などの、様々なインジケータ要素を駆動させる。要素（８０９）は周知の双方向インターフェースであり、外部の環境ノイズからの妨害のないクリーン信号の受信および転送を可能にする。要素（８０９）の制限しない例は、周知のＲＳ４８５集積回路（ＩＣ）インターフェースを含み得る。
【０１３６】
図４Ｅ−１および４Ｅ−２は、ＣＰＵ（４１６）の上記の信号処理と連動して使用され得る様々な好ましいアンテナ構成の典型的な例である。特に、ＣＰＵ（４１６）による上記信号処理は、図４Ｅ−１および４Ｅ−２の両方において例示されるアンテナ構成に適用可能である。図４Ｅ−１は、２つの面内の重なる送信機アンテナループＴＸ−Ａを備える１つ以上の送信機台座およびを２つの面内の重なる受信機アンテナループＲＸ−Ａを備える１つ以上の受信機台座を例示する。図４Ｅ−２は、１つの単一送信機アンテナループＴＸ−Ｂを備える１つ以上の送信機台座および２つの面内の重なる受信機アンテナループＲＸ−Ａを備える１つ以上の受信機台座を例示する。両方の例（図４Ｅ−１および４Ｅ−２）において、受信機アンテナ構成ＲＸ−Ａは、図４Ｂおよび４Ｃにおいて例示される、２つのループ受信機アンテナと同一であり、それらのそれぞれの信号は処理され、上述される図４Ｄに従って、さらなる処理のためにＣＰＵ（４１６）に入力される。従って、図４Ｅ−１および４Ｅ−２の両方を共に参照して、本発明の音響−磁気ＥＡＳシステム（４００）は、１つ以上のループ（ＴＸ−Ａ及び／又はＴＸ−Ｂ）を有する送信機アンテナを備える１つ以上の送信機台座、および２つのループ（ＲＸ−Ａ）を有する受信機アンテナを備える１つ以上の受信機台座を含み得る。あるいは、本発明の音響−磁気ＥＡＳシステム（４００）は、（単一ループアンテナＴＸ−Ｂのように機能する）アンテナＴＸ−Ａの２つのループの１つのみを使用する、（送信するための）第１動作モードを有し、両方のループ（ＲＸ−Ａ）を使用する、送信された信号の、（受信するための）第２動作モードを有する１つ以上の送信機を含み得る。
【０１３７】
図４Ｅ−３および４Ｅ−４は、ＣＰＵ（４１６）の上記の信号処理と連動して使用され得る他のアンテナ構成の典型的な例である。すなわち、（図４Ｅ−３および４Ｅ−４の両方における）受信機アンテナＲＸ−Ｂが、単一ループのみを有するならば、ＣＰＵ（４１６）による算出は、送信機アンテナにおけるループ、図４Ｅ−３に示される単一ループＴＸ−Ｂまたは図４Ｅ−４に示されるダブルループＴＸ−Ａのループ数にかかわらず、「０」構成のみという結果となる。しかしながら、「０」構成のみからの監視ゾーンの結果として生じる検出は、上述されるように、潜在的な検出穴を恐らく含み得る。
【０１３８】
図４Ｆ−１および４Ｆ−２は、本発明に従うＣＰＵ（４１６）またはコンピューターの動作上の機能的行為のフローチャートの典型的な例であり、図４Ｇから４Ｌは、本発明の音響−磁気ＥＡＳシステムのタイミングおよび信号分析の図表の代表的な例である。公知のように、一般に、ほとんどの音響−磁気ＥＡＳシステムは、約５８．４ｋＨｚの周波数で作動し、バーストにおける信号を送信する。従来の音響−磁気ＥＡＳシステムは、正常な速度で信号を送信するが、タグの検出後、送信速度を２倍にする（信号バーストの数を２倍にする）。本発明は実質的に一定なバースト速度「Ｐ」で信号を送信する。すなわち、本発明は、単位時間当たり、「Ｐ」バーストで信号を送信し、この送信速度を維持する。従って、図４Ｆ−１に示されるように、動作上行為（４６３）で、ＣＰＵ（４１６）は、送信信号のバーストカウントを、いくらかの値「Ｐ」に設定することにより準備される。この制限しない典型的な例において、バーストカウント（Ｂｕｒｓｔ Ｃｏｕｎｔ）は、Ｐ＝６のバーストパルスで信号を送信するために設定され得、各バーストパルスは、１.６ミリ秒（ｍｓ）の持続時間を有し、各バーストパルスは、（もし電源周波数が６０Ｈｚであると）１１.１ミリ秒ずつ分離した。言いかえれば、バーストカウントＰが、動作上行為（４６３）での数値６と等しくなるように設定される、制限しない典型的な例において、（（４６５）および（４６７）を含む）動作上行為（４５０）から（４６２）は、図４Ｆ−２内に例示される（４６４）から（４７４）の動作上行為の実行の開始前に、６回実行される。図４Ｆ−１に示される（（４６５）および（４６７）を含む）動作上行為（４５０）から（４６２）の、「Ｐ」実行サイクル後に、（図４Ｆ−２に示される）動作上行為（４６４）から（４７４）は、その後、実行される。この制限しない典型的な例において、ＣＰＵ（４１６）は、（図４Ｆ−２に示される）動作上行為（４６４）から（４７４）を実行するために、約２０ミリ秒割り当てられる。それ以外に明記すると、本発明のシステム（４００）のＣＰＵ（４１６）は、バーストカウントＰを選択される値に再設定する前に、約２０ミリ秒待つ。従って、受信信号のタイプに基づいた送信信号バーストの速度を変える、従来の音響−磁気方式とは異なり、本発明は、送信信号バーストの速度を設定し維持する。上述されるように、各「Ｐ」サイクル全体にわたって集められたすべてのデータは、図４Ｄに例示されるような複数のアレイ（またはメモリー）に保存される（２つのアレイのみが明瞭さのために例示される）。
【０１３９】
図４Ｆ−１および４Ｆ−２および４Ｇに最良に例示されるように、動作上行為（４５０）で、図４Ｇに例示される典型的な位相ラインＡ、Ｂ、およびＣでの入力ラインは同期され、同期の一部として、送信機ＴＸｌからの送信は、位相ラインの典型的なゼロ交差で行なわれる。送信信号の同期は、互いに妨害しないように、およびタグおよびノイズ信号の適切な読み取りのために行われることを留意されたい。例えば、位相ラインＡ上で機能する一方の物理的位置における第１システムは、他方の近くの物理的位置において（例えば）位相ラインＣ上で機能する第２の異なるシステムによって同時に送信される信号がないように、同期されなければならない。さらなる例として、信号パルスの送信の開始は、ゼロ交差で開始するために、例えば、位相ラインＡに対するｔ１の持続時間のための時間Ｔ１の開始時、または（位相ラインＣ上の別のシステムに対する）時間ｔ５の終了時に同期される。一旦すべての信号のためのすべてのタイミングが同期されれば、動作上行為（４５２）で、ｔ１の持続時間を有する第１信号パルスバーストＴxは、送信機台座ＴＸ１を介して時間Ｔ１で送信される（図４Ｇおよび４Ｈ）。同期におけるさらなる遅延を必要とするシステムのために、動作上行為（４５２）後に、ｔ１がゼロ交差の典型的な開始時に始まらないが、ある程度の時間Δ１によって変換される（遅延される）ように、Δ１の随意の遅延が挿入され得ることを留意されたい。
【０１４０】
すべての時間は、図４Ｇから４Ｌまでに関連して以下のように記載される。図４Ｇに最良に例示されるように、ｔ１は、パルス持続時間であり（図４Ｆ−１における動作上行為（４５２））、ｔ２は、パルスの定着位相または期間である（図４Ｆ−１における動作上行為（４０５））。マイクロプロセッサ（４１６）が、音響−磁気ＥＡＳシステム（４００）の監視ゾーン内にあり得るタグから信号を受信するために、待ち、聞き、検出するための、期間ｔ３が蓄えられる（図４Ｆ−１における動作上行為（４５４））。位相Ｃに示されるような別のシステムが、それ自体のパルスを送信するために、持続時間ｔ４は蓄えられ（図４Ｆ−１における動作上行為（４５８））、ｔ５は、マイクロプロセッサ（４１６）が環境ノイズを待ち、聞き、検出するために蓄えられる時間である（図４Ｆ−１における動作上行為（４６０））。
【０１４１】
図４Ｈは、タグ信号送信のない音響−磁気ＥＡＳシステムのための信号方式を例示する。例示されるように、ｔ３にタグ信号はない。図４Ｉは、同じことを例示するが、期間ｔ３内にある、タグ応答を含む。図４Ｊは、２つの独立した音響−磁気ＥＡＳシステム（４００）のための典型的な信号方式の例示であり、該システムは、同期により、タグ送信なし（タグの存在なし）で、ゼロ交差でおよび時間ｔ１およびｔ４での信号の送信を開始する。図４Ｋは、図４Ｊに示されるような典型的な信号方式の例示であるが、位相ラインＡ上の期間ｔ３で、システム１内からのタグ応答を含む。最終的に、図４Ｌは、ジャマーによって妨害もされる、タグ付きの（時間ｔ３でのタグ出力）システム動作を示す、典型的な信号方式の例示である。例示されるように、ジャマー信号はタグ信号に似ているが、バーストよりもむしろ時間において連続的である。ジャマー信号は、（システムがタグから信号を予期している）時間ｔ３、および時間ｔ５で（最低でも）検出され、バックグラウンドまたは周囲の信号の検出のためだけに蓄えられることを留意されたい。従って、ジャマー信号は、連続信号であり、バーストにおいて存在せず、システム全体に関連する事象の時間のシーケンスと同期されず、それが信号の検出を可能にしている。すべての時間ｔｌ、ｔ２、ｔ３、．．．ｔｎは、プログラム可能であり、変更され得、これはまた、すべての信号、信号特性または特徴（例えば、パルスの開始および終了、パルスの数、パルスの幅、パルスの強度、持続時間、振幅、時間、周波数、位相、反復など）に適用することを留意されたい。
【０１４２】
図４Ｄに戻って（および図４Ｇから４Ｌと組み合わせて）参照すると、動作上行為（４５２）後、動作上行為（４０５）で、マイクロコンピューター（４１６）は、ｔｌで開始したパルスが、定着する時間を有するために、ｔ２の持続時間の間待つ。その後、動作上行為（４５４）で、受信信号はサンプリングされる（図４Ｄおよび４Ｅ−１から４Ｅ−４に関連して詳細に記載される）。すなわち、これは、受信信号がタグまたはジャマー装置からの信号であり得る場合の、持続時間ｔ３である。動作上行為（４５６）で、マイクロコンピューター（４１６）はサンプリングされた結果（タグまたはジャマーの信号）を保存し、動作上行為（４５８）で待つ。この待機は持続時間ｔ４のためであり、他のシステムがそれらのそれぞれのパルスを送信するのに十分な時間を提供する。動作上行為（４６０）で、マイクロコンピュータは、さらなるデータ、しかしこの場合は、持続時間ｔ５のための受信機アンテナからのノイズ（または恐らくジャマー信号）のためのデータをサンプリングし、動作上行為（４６２）で受信されたデータを保存する（図４Ｄおよび４Ｅ−１から４Ｅ−４に関連して詳しく記載される）。上記処理動作機能は、典型的なカウンター機構制御（４６３）、（４６５）、および（４６７）に従って、「Ｐ」回繰り返される。
【０１４３】
動作上行為（４６４）で、保存されたすべての信号は、フィルタ処理され、動作上行為（４６６）で、それらは分析される。動作上行為（４６８）で、一致するアラーム基準が満たされるかが決定される。すなわち、可能なタグ信号が、動作上行為（４５４）での持続時間ｔ３で拾い上げられたかどうかが決定される。タグ信号が受信されなかったことが決定されると、その後、ジャマー信号が受信されたかどうかが動作上行為（４７０）で決定される。言いかえれば、ジャマー信号が、動作上行為（４５４）（持続時間ｔ３）及び／又は動作上行為（４６０）（持続時間ｔ５）で拾い上げられたかどうかが決定される。それ以外に明記すると、動作上行為（４７０）で、ジャマーアラーム基準への一致が存在するかどうかが決定される。図４Ｌに関連して上述されるように、これは、システムが時間ｔ３および時間ｔ５でタグからの信号バーストを予期する状態、システムがノイズを聞いている状態の、時間ｔ３および時間ｔ５の連続信号の検出であり得る。従って、アラームが正常であり、ジャマー情報がコンピューターに転送される状態で、（もしコンピューターが、動作上行為（４７４）で決定されるそのような情報を要求している場合に）動作上行為（４７２）は、実行される。もしタグ信号が（動作上行為（４６８）で）受信され、ジャマー信号が（動作上行為（４７０）で）検出されると、アラームは、動作上行為（４７２）で発生し、外部のコンピューターと通信する。
【０１４４】
図５Ａから５Ｄは、本発明に従うカウンターを備えた台座システムの典型的な例示である。例示されるように、本発明はさらに、台座システムによって定義される監視ゾーンに入り監視ゾーンから出る個人の数をカウントするカウンター機構を提供し、該カウンター機構は、その後、小売店、空港ターミナル、または他の場所のような保安区域に入り、保安区域から出る人の数を数えるために処理される。
【０１４５】
カウントを実行するための多数の方法があり、その制限しない１つの例は、もし破られたならば、結果的にカウントされる、赤外線ゲートの使用を含む。例えば、図５Ａから５Ｄに例示されるように、赤外線ゲートは、第１台座システム（５１２）の第１側面（５１０）に位置付けされる、第１赤外線発光ダイオード（ＬＥＤ）（５０６）および第２赤外線ＬＥＤ（５０８）から成る、一連の横に並置された赤外線エミッター（５０２）を含み得る。典型的に例示された赤外線ゲートはさらに、第１台座システム（５１２）の第１側面（５１０）に対向する第２台座システム（５１６）の第２側面（５１４）に位置付けされる、（図５Ｃに示され、赤外線受信機（５１８）および（５２０）として参照される）同等の一連の横に並置された赤外線受信機（５０４）を含み得る。図５Ｃに例示されるように、赤外線ＬＥＤエミッター（５０８）および（５０６）は、一連の横に並置された赤外線受信機（５１８）および（５２０）の視野の線内にそれぞれ横に並列され、第１および第２赤外光（５２４）および（５２６）は、赤外線エミッター（５０２）から送信され、赤外線受信機（５０４）によって受信される。対象物（５２２）が方向（５３０）に移動しており、中間の台座を介して通され、赤外線受信機（５１８）および（５２０）の視野の線に入るとき、対象物（５２２）は、放射された赤外光（例えば、赤外光（５２６））のうちの１つの受信が、対応する赤外線受信機（例えば、（５２０））に達し、それによって、赤外線ゲートを破るのを阻止する。もし対象物（５２２）が例示される第１方向（５３０）に移動していると、その後、第２赤外光（５２６）は最初に壊れ、次に、第１赤外光（５２４）は、対象物が同じ方向（５３０）に移動し続けるとともに、壊れる。したがって、赤外線ゲートの妨害のシーケンス（赤外線放射光（５２４）および（５２６））は、監視ゾーンを通って保安区域を出るまたは保安区域に入る対象物の移動方向を決定する。その後、情報は、保安区域に入り、保安区域を出る人の数を測定するためにＣＰＵ（４１６）によって処理され得る。
【０１４６】
図５Ｄは、連結するまたは連鎖のカウンター機構を備える複数の台座の典型的な例示である。例示されるように、複数の台座の第１および第２の台座システムＲＸ／ＴＸ−１およびＲＸ／ＴＸ−２は、第１赤外線ゲート（５６０）を形成し、該第２の、および第３の台座ＲＸ／ＴＸ−２およびＲＸ／ＴＸ−３は、第２赤外線ゲート（５６２）を形成する。第３および最後（第４）の台座ＲＸ／ＴＸ−３およびＲＸ／ＴＸ−４は、第３赤外線ゲート（５６４）を形成する。さらに例示されるように、内部の各台座システムは、一連の赤外線エミッター（５０２）および赤外線受信機（５０４）と連結されるＣＰＵ（５４０）を含み得、簡単な増幅器（５４２）は、ＣＰＵ（５４０）と赤外線エミッター（５０２）の間で連結され、一連の赤外線エミッター（５０２）を駆動させる。対象物（５２２）が任意の赤外線ゲート（５６０）、（５６２）、（５６４）内で移動するとき、ＣＰＵ（５４０）への入力は、（上述されるように）対象物のカウントおよび方向性の移動のための、高（例えば、「１」）に引かれ、その後、その情報はさらなる処理のためのＣＰＵ（４１６）に与えられる。
【０１４７】
本発明のＥＡＳ台座システムと連動して使用され得る、公知のカウンターの別の制限しない例は、ソフトウェア分析を備えるデジタルビデオレコーダー（ＤＶＲ）であり、ここで、保護区域を横断する特定のサイズの対象物の画像は、カウントされ、ＤＶＲの内部メモリへ保存される。その後、これらのデータは、抽出され得るか、本発明の商品監視システムへ取り込まれ得、ＣＰＵ（４１６）によってさらに処理される。カウンターの使用は、もし人が実際に保護区域を横断すれば、アラームを確認することにより、システムアラームの信頼性をかなり増加させ、もし人が保護区域を横断したと決定されたならば、本発明の商品監視システムは、ＣＰＵ（４１６）がアラームの発生または送信を可能にするのを許可する。もし人が保護区域を横断していないことが決定された場合、アラームはオペレータープレファレンスに依存して、許可されるか無効にされるようにプログラムされ得る。
【０１４８】
本発明は構造的特徴及び又は方法の行為に特有の言語においてかなり詳細に述べられているが、添付された請求項に定義される発明が、記載される特定の特徴または行為に必ずしも限定されないことが理解されるであろう。もっと正確に言えば、特定の特徴および行為は、請求される発明を実行する好ましい形態として開示される。それ以外に明記すると、本明細書に使用される語法と用語が、要約と同様に、記載の目的のためであり、限定するものとして考えられるべきではないことが理解されるであろう。したがって、本発明の典型的な例示となる実施形態が記載されているが、多数の変更および代替の実施形態が当業者に思い出されるであろう。例えば、磁気センサー（１０２）、（１０４）、（１０６）、および（１０８）は、他の公知のタイプの磁気検出器と取り替えられ得る。そのような変更および代替の実施形態は熟考され、本発明の精神および範囲から逸脱することなしになされ得る。
【０１４９】
全開示の全体にわたって、左、右、前、後ろ、最上部、最下部、転送、逆戻り、右回り、左回り、上、下、または上部の、下部の、後部の、前部の、縦の、横の、傾斜の、近位の、遠位の、平行の、垂直の、横軸の、縦軸の、などの他の同類の用語などのラベルは、便宜上のために使用され、任意の特定の固定された方向または配向を意味するようには意図されない。代わりに、それらは対象物の様々な部分の間の相対的位置及び／又は方向／配向を反映するために使用される。
【０１５０】
加えて、本開示（および特に、請求項）の全体にわたる、「第１（ｆｉｒｓｔ）」、「第２（ｓｅｃｏｎｄ）」、「第３（ｔｈｉｒｄ）」などのメンバーへの参照は、シリアルまたは数の制限を示すためには使用されないが、代わりに、グループの様々なメンバーを識別するか同定するために使用される。
【０１５１】
さらに、特定の機能を実行する「ための手段（ｍｅａｎｓ  ｆｏｒ）」、または特定の機能を実行する「ための工程（ｓｔｅｐ  ｆｏｒ）」を明確に述べない請求項における任意の要素は、アメリカ合衆国法典第３５巻、第１１２条、第６パラグラフに規定されるような「手段」または「工程」節として解釈されない。特に、本明細書の請求項における「〜の工程（ｓｔｅｐ  ｏｆ）」、「〜の行為（ａｃｔ  ｏｆ）」、「〜の動作（ｏｐｅｒａｔｉｏｎ  ｏｆ）」、または「〜の動作上行為（ｏｐｅｒａｔｉｏｎａｌ  ａｃｔ  ｏｆ）」の使用は、アメリカ合衆国法典第３５巻、第１１２条、第６パラグラフの条項を行使するように意図されない。
【図１Ａ−１】
2012530325.tif 000003
【図１Ａ−２】
2012530325.tif 000004
【図１Ａ−３】
2012530325.tif 000005
【図１Ａ−４】
2012530325.tif 000006
【図１Ａ−５】
2012530325.tif 000007
【図１Ｂ】
2012530325.tif 000008
【図１Ｃ】
2012530325.tif 000009
【図１Ｄ】
2012530325.tif 000010
【図２Ａ−１】
2012530325.tif 000011
【図２Ａ−２】
2012530325.tif 000012
【図２Ａ−３】
2012530325.tif 000013
【図２Ｂ】
2012530325.tif 000014
【図２Ｃ】
2012530325.tif 000015
【図３Ａ−１】
2012530325.tif 000016
【図３Ａ−２】
2012530325.tif 000017
【図３Ｂ】
2012530325.tif 000018
【図４Ａ−１】
2012530325.tif 000019
【図４Ａ−２】
2012530325.tif 000020
【図４Ｄ】
2012530325.tif 000021
【図４Ｅ−１】
2012530325.tif 000022
【図４Ｅ−２】
2012530325.tif 000023
【図４Ｅ−３】
2012530325.tif 000024
【図４Ｅ−４】
2012530325.tif 000025
【図４Ｆ−２】
2012530325.tif 000026
【図５Ａ】
2012530325.tif 000027
【図５Ｂ】
2012530325.tif 000028
【図５Ｃ】
2012530325.tif 000029
【図２Ｄ】
2012530325.tif 000030
【図３Ｃ】
2012530325.tif 000031
【図４Ｂ】
2012530325.tif 000032
【図４Ｃ】
2012530325.tif 000033
【図４Ｆ−１】
2012530325.tif 000034
【図４Ｇ】
2012530325.tif 000035
【図４Ｈ】
2012530325.tif 000036
【図４Ｉ】
2012530325.tif 000037
【図４Ｊ】
2012530325.tif 000038
【図４Ｋ】
2012530325.tif 000039
【図４Ｌ】
2012530325.tif 000040
【図５Ｄ】
2012530325.tif 000041
【国際調査報告】
2012530325.tif 000042